(57)【要約】  電源装置と情報処理装置の電源ユニットとの間の接続違いを検出することを目的とする。電源を供給する第１電源装置に接続された第１電源ユニットと、電源を供給する第２電源装置に接続された第２電源ユニットと、第１電源装置と第１電源ユニットとの間が接続されている状態を示す第１期待値と、第２電源装置と第２電源ユニットとの間が接続されている状態を示す第２期待値とを格納する格納部と、第１電源ユニットと第１電源装置との接続状態を示す第１接続情報と、第２電源ユニットと第２電源装置との接続状態を示す第２接続情報とを取得する取得部と、期待値と接続情報とをそれぞれ比較する比較部と、比較結果に基づいて、第１電源装置と第１電源ユニットとの間、又は、第２電源装置と第２電源ユニットとの間、の接続違いを検出する検出部と、を有する。
2013140512.tif 000002
【特許請求の範囲】
【請求項１】
第１電源装置又は第２電源装置から電源が供給される情報処理装置であって、
前記第１電源装置に接続された第１電源ユニットと、
前記第２電源装置に接続された第２電源ユニットと、
前記第１電源装置と前記第１電源ユニットとの間が接続されている状態を示す第１期待値と、前記第２電源装置と前記第２電源ユニットとの間が接続されている状態を示す第２期待値との格納を行なう格納部と、
前記第１電源ユニットと前記第１電源装置との接続状態を示す第１接続情報と、前記第２電源ユニットと前記第２電源装置との接続情報を示す第２接続情報との取得を行なう取得部と、
前記第１期待値と前記第１接続情報との比較、及び、前記第２期待値と前記第２接続情報との比較を行なう比較部と、
前記比較部による比較結果に基づいて、前記第１電源装置と前記第１電源ユニットとの間の接続違いの検出、又は、前記第２電源装置と前記第２電源ユニットとの間の接続違いの検出を行なう検出部と、
を有することを特徴する情報処理装置。
【請求項２】
前記第１期待値は、前記第１電源ユニットから前記第１電源装置に向けて第１情報が送信される場合に、前記第１電源装置を介して前記第１情報を受信する電源ユニットを示す情報であり、前記第１接続情報は、前記第１電源ユニットから送信された前記第１情報を、前記第１電源装置を介して受信した電源ユニットを示す情報であって、
前記第２期待値は、前記第２電源ユニットから前記第２電源装置に向けて第２情報が送信される場合に、前記第２電源装置を介して前記第２情報を受信する電源ユニットを示す情報であり、前記第２接続情報は、前記第２電源ユニットから送信された前記第２情報を、前記第２電源装置を介して受信した電源ユニットを示す情報であることを特徴とする、請求項１記載の情報処理装置。
【請求項３】
前記第１情報は、前記第１電源ユニットを示す第１識別情報であり、前記第２情報は、前記第２電源ユニットを示す第２識別情報であって、
前記第１電源ユニットに対して、前記第１電源装置に向けて、前記第１識別情報を送信させるとともに、前記第２電源ユニットに対して、前記第２電源装置に向けて、前記第２識別情報を送信させる送信制御部をさらに有し、
前記取得部は、前記第１電源ユニット及び前記第２電源ユニットにより、前記第１電源装置又は前記第２電源装置を介して受信された前記第１識別情報又は前記第２識別情報に基づいて、前記第１接続情報及び前記第２接続情報を取得することを特徴とする、請求項２記載の情報処理装置。
【請求項４】
前記第１電源ユニット及び前記第２電源ユニットの各々は、
電力線を介して接続された電源装置に対して、前記電力線を介して前記第１情報又は前記第２情報を送信するとともに、前記電源装置からの前記第１情報又は前記第２情報を、前記電力線を介して受信する通信部を有することを特徴とする、請求項２又は請求項３記載の情報処理装置。
【請求項５】
前記第１電源ユニット，前記第２電源ユニット，前記第１電源装置，及び前記第２電源装置の接続関係を示す電源情報に基づいて、前記第１期待値と前記第２期待値とを生成して前記格納部に格納するとともに、前記第１情報と前記第２情報とを生成する生成部をさらに有することを特徴とする、請求項２〜４のいずれか１項記載の情報処理装置。
【請求項６】
第１電源装置又は第２電源装置から電源が供給され、前記第１電源装置に接続された第１電源ユニットと、前記第２電源装置に接続された第２電源ユニットと、を有する情報処理装置における電源の誤接続検出方法であって、
前記第１電源ユニットと前記第１電源装置との接続状態を示す第１接続情報と、前記第２電源ユニットと前記第２電源装置との接続状態を示す第２接続情報との取得を行ない、
格納部に格納された前記第１電源装置と前記第１電源ユニットとの間が接続されている状態を示す第１期待値と、取得した前記第１接続情報との比較、及び、前記格納部に格納された前記第２電源装置と前記第２電源ユニットとの間が接続されている状態を示す第２期待値と、取得した前記第２接続情報との比較を行ない、
比較結果に基づいて、前記第１電源装置と前記第１電源ユニットとの間の接続違いの検出、又は、前記第２電源装置と前記第２電源ユニットとの間の接続違いの検出を行なう、
ことを特徴する電源の誤接続検出方法。
【請求項７】
前記第１期待値は、前記第１電源ユニットから前記第１電源装置に向けて第１情報が送信される場合に、前記第１電源装置を介して前記第１情報を受信する電源ユニットを示す情報であり、前記第１接続情報は、前記第１電源ユニットから送信された前記第１情報を、前記第１電源装置を介して受信した電源ユニットを示す情報であって、
前記第２期待値は、前記第２電源ユニットから前記第２電源装置に向けて第２情報が送信される場合に、前記第２電源装置を介して前記第２情報を受信する電源ユニットを示す情報であり、前記第２接続情報は、前記第２電源ユニットから送信された前記第２情報を、前記第２電源装置を介して受信した電源ユニットを示す情報であることを特徴とする、請求項６記載の誤接続検出方法。
【請求項８】
前記第１情報は、前記第１電源ユニットを示す第１識別情報であり、前記第２情報は、前記第２電源ユニットを示す第２識別情報であって、
前記第１電源ユニットに対して、前記第１電源装置に向けて、前記第１識別情報を送信させるとともに、前記第２電源ユニットに対して、前記第２電源装置に向けて、前記第２識別情報を送信させ、
前記取得する処理において、前記第１電源ユニット及び前記第２電源ユニットにより、前記第１電源装置又は前記第２電源装置を介して受信された前記第１識別情報又は前記第２識別情報に基づいて、前記第１接続情報及び前記第２接続情報を取得することを特徴とする、請求項７記載の誤接続検出方法。
【請求項９】
前記第１電源ユニット及び前記第２電源ユニットにおいて、電力線を介して接続された電源装置に対して、前記電力線を介して前記第１情報又は前記第２情報を送信するとともに、前記電源装置からの前記第１情報又は前記第２情報を、前記電力線を介して受信することを特徴とする、請求項７又は請求項８記載の誤接続検出方法。
【請求項１０】
前記第１電源ユニット，前記第２電源ユニット，前記第１電源装置，及び前記第２電源装置の接続関係を示す電源情報に基づいて、前記第１期待値と前記第２期待値とを生成して前記格納部に格納するとともに、前記第１情報と前記第２情報とを生成することを特徴とする、請求項７〜９のいずれか１項記載の誤接続検出方法。
【請求項１１】
第１電源装置又は第２電源装置から電源が供給され、前記第１電源装置に接続された第１電源ユニットと、前記第２電源装置に接続された第２電源ユニットと、を有するコンピュータに実行させる電源の誤接続検出プログラムであって、
前記第１電源ユニットと前記第１電源装置との接続状態を示す第１接続情報と、前記第２電源ユニットと前記第２電源装置との接続状態を示す第２接続情報との取得を行ない、
格納部に格納された前記第１電源装置と前記第１電源ユニットとの間が接続されている状態を示す第１期待値と、取得した前記第１接続情報との比較、及び、前記格納部に格納された前記第２電源装置と前記第２電源ユニットとの間が接続されている状態を示す第２期待値と、取得した前記第２接続情報との比較を行ない、
比較結果に基づいて、前記第１電源装置と前記第１電源ユニットとの間の接続違いの検出、又は、前記第２電源装置と前記第２電源ユニットとの間の接続違いの検出を行なう、
処理を前記コンピュータに実行させることを特徴する電源の誤接続検出プログラム。
【請求項１２】
前記第１期待値は、前記第１電源ユニットから前記第１電源装置に向けて第１情報が送信される場合に、前記第１電源装置を介して前記第１情報を受信する電源ユニットを示す情報であり、前記第１接続情報は、前記第１電源ユニットから送信された前記第１情報を、前記第１電源装置を介して受信した電源ユニットを示す情報であって、
前記第２期待値は、前記第２電源ユニットから前記第２電源装置に向けて第２情報が送信される場合に、前記第２電源装置を介して前記第２情報を受信する電源ユニットを示す情報であり、前記第２接続情報は、前記第２電源ユニットから送信された前記第２情報を、前記第２電源装置を介して受信した電源ユニットを示す情報であることを特徴とする、請求項１１記載の誤接続検出プログラム。
【請求項１３】
前記第１情報は、前記第１電源ユニットを示す第１識別情報であり、前記第２情報は、前記第２電源ユニットを示す第２識別情報であって、
前記第１電源ユニットに対して、前記第１電源装置に向けて、前記第１識別情報を送信させるとともに、前記第２電源ユニットに対して、前記第２電源装置に向けて、前記第２識別情報を送信させ、
前記取得する処理において、前記第１電源ユニット及び前記第２電源ユニットにより、前記第１電源装置又は前記第２電源装置を介して受信された前記第１識別情報又は前記第２識別情報に基づいて、前記第１接続情報及び前記第２接続情報を取得する、処理を前記コンピュータに実行させることを特徴とする、請求項１２記載の誤接続検出プログラム。
【請求項１４】
前記第１電源ユニット及び前記第２電源ユニットにおいて、電力線を介して接続された電源装置に対して、前記電力線を介して前記第１情報又は前記第２情報を送信するとともに、前記電源装置からの前記第１情報又は前記第２情報を、前記電力線を介して受信する、処理を前記コンピュータに実行させることを特徴とする、請求項１１又は請求項１２記載の誤接続検出プログラム。
【請求項１５】
前記第１電源ユニット，前記第２電源ユニット，前記第１電源装置，及び前記第２電源装置の接続関係を示す電源情報に基づいて、前記第１期待値と前記第２期待値とを生成して前記格納部に格納するとともに、前記第１情報と前記第２情報とを生成する、処理を前記コンピュータに実行させることを特徴とする、請求項１２〜１４のいずれか１項記載の誤接続検出プログラム。
【発明の詳細な説明】
【技術分野】
【０００１】
本件は、情報処理装置、誤接続検出方法、及び誤接続検出プログラムに関する。
【背景技術】
【０００２】
サーバ等の動作継続が求められる情報処理装置には、装置内に電源（電力）を供給する電源ユニットの信頼性や故障時の保守性を上げるために、冗長化した電源ユニットが搭載されることがある。これにより、一つの電源ユニットが故障した場合でも、他の電源ユニットが故障した電源ユニットの代わりに動作することで、情報処理装置は運用を止めずに動作継続することができる。【０００３】
また、図２０に示すように、電源の供給元である電源装置を冗長化する場合もある。図２０は、複数の電源装置２００−１及び電源装置２００−２と接続される情報処理装置１００の構成例を示すブロック図である。
図２０に示すように、複数、例えば二つの電源装置２００−１及び電源装置２００−２はそれぞれ、ブレーカー，ＰＤＵ（Power Distribution Unit），ＵＰＳ（Uninterruptible Power Supply；無停電電源装置）等の電源の供給元であり、情報処理装置１００に電源を供給する。なお、ＰＤＵとは、データセンタ等において供給される電源をラック内のサーバやルータ等の各種装置に配電するための電源タップである。【０００４】
図２０に示す情報処理装置１００は、二つの電源ユニット３００−１及び電源ユニット３００−２，ＣＰＵ（Central Processing Unit）ユニット５００，ＨＤＤ（Hard Disk Drive）ユニット６００，及びＦＡＮユニット７００を有している。なお、ＣＰＵユニット５００，ＨＤＤユニット６００，及びＦＡＮユニット７００は、電源ユニット３００−１又は電源ユニット３００−２により電源が供給される電源供給対象４００である。【０００５】
なお、以下の説明において、電源装置２００−１及び電源装置２００−２を区別しない場合には単に符号２００で示し、電源ユニット３００−１及び電源ユニット３００−２を区別しない場合には単に符号３００で示す。
電源ユニット３００−１は、電力線２００ａを介して電源装置２００−１の端子（例えばコンセント）２１０の一つと接続されるとともに、電源線３００ａを介して電源供給対象４００と接続され、電源供給対象４００に電源装置２００−１からの電源を供給する。電源ユニット３００−２は、電力線２００ｂを介して電源装置２００−２の端子２２０の一つと接続されるとともに、電源線３００ｂを介して電源供給対象４００と接続され、電源供給対象４００に電源装置２００−２からの電源を供給する。また、電源ユニット３００は、電源装置２００からの電源供給の有無，電源ユニット３００の稼働状態，又は電源供給対象４００の動作状態等に応じて、少なくとも一方が電源供給対象４００に電源を供給する。なお、電源ユニット３００の制御は、例えば通信線４００ａを介してＣＰＵユニット５００により行なわれる。【０００６】
図２０に示す例では、例えば故障等により電源装置２００のうちの一方からの電源供給が断たれたとしても、情報処理装置１００は、他方の電源装置２００から電源の供給を受けることができるため、運用を止めずに動作継続することができる。
なお、関連する技術として、別々の交流電源部から電源の供給を受ける二つのＡＣ／ＤＣコンバータのうちの一方に障害が発生した場合、バッテリから磁気ディスク装置に対して電源を供給する技術がある。【０００７】
また、関連する他の技術として、二つのサーバ装置間で電力供給を制御する技術がある。この技術では、第１のサーバ装置は、電力の供給状態に応じて、第２のサーバ装置に対して電力供給を要求し、当該第２のサーバ装置からの電力を受付可能に設定し、第２のサーバ装置は、第１のサーバ装置からの要求に応じて、自己の電源からの電力を第１のサーバ装置へ供給する。【０００８】
さらに、関連する他の技術として、電力線通信装置により、データ送受信用回路と通信線との間でデータ信号を送受信するための信号経路に発生した障害を検出する技術がある。この技術では、通信線へ障害を検出するための検査用データを送信し、通信線からデータを受信して、送信した検査用データと受信データとを比較し、比較の結果が不一致であったとき、データの伝達に障害があることを検出する。
【先行技術文献】
【特許文献】
【０００９】
【特許文献１】特開２００３−３０９９３６号公報
【特許文献２】特開２０１１−８１７１６号公報
【特許文献３】特開２００４−３２０５１８号公報
【発明の概要】
【発明が解決しようとする課題】
【００１０】
図２１は、一つの電源装置２００−１と接続される情報処理装置１００の構成例を示すブロック図である。
図２１に示すように、二つの電源ユニット３００がいずれも同一の電源装置２００−１に接続された場合であっても、電源装置２００−１から電源が供給されている限り、情報処理装置１００は正常に稼動する。しかし、例えば、障害の発生等により電源装置２００−１からの電源の供給が断たれると、二つの電源ユニット３００はいずれも電源の供給を受けることができず、情報処理装置１００は停止してしまう。【００１１】
従って、図２０に示すように、情報処理装置１００に冗長に搭載される電源ユニット３００−１及び電源ユニット３００−２は、それぞれ別々の電源装置２００−１及び電源装置２００−２に接続されることが望まれる。
しかしながら、設置時や運用中に作業者等により二つの電源ユニット３００が誤って同一の電源装置２００−１に接続された場合（図２１参照）には、電源装置２００−１からの電源供給が止まり、情報処理装置１００が停止するまでは、接続の間違いに気付かない可能性が高い。誤接続を検出するために、例えば所定のタイミングで電源装置２００を停止させ、二つの電源装置２００の電源ユニット３００に対する冗長性を確認することも考えられる。しかし、既に電源装置２００からの電源の供給により情報処理装置１００や他の情報処理装置が運用している場合には、電源装置２００を停止させると、情報処理装置１００や他の情報処理装置の運用が停止することになり、動作継続が求められるサーバ等においては好ましくない。【００１２】
なお、上述した関連する各技術は、いずれも、冗長化された電源ユニットが異なる電源装置に接続されているか否かを判断することについては考慮されておらず、電源装置と電源ユニットとの間の接続違いを検出することはできない。
１つの側面では、本発明は、電源装置と情報処理装置の電源ユニットとの間の接続違いを検出することを目的とする。
【課題を解決するための手段】
【００１３】
本件の情報処理装置は、第１電源装置又は第２電源装置から電源が供給される情報処理装置であって、前記第１電源装置に接続された第１電源ユニットと、前記第２電源装置に接続された第２電源ユニットと、前記第１電源装置と前記第１電源ユニットとの間が接続されている状態を示す第１期待値と、前記第２電源装置と前記第２電源ユニットとの間が接続されている状態を示す第２期待値との格納を行なう格納部と、前記第１電源ユニットと前記第１電源装置との接続状態を示す第１接続情報と、前記第２電源ユニットと前記第２電源装置との接続状態を示す第２接続情報との取得を行なう取得部と、前記第１期待値と前記第１接続情報との比較、及び、前記第２期待値と前記第２接続情報との比較を行なう比較部と、前記比較部による比較結果に基づいて、前記第１電源装置と前記第１電源ユニットとの間の接続違いの検出、又は、前記第２電源装置と前記第２電源ユニットとの間の接続違いの検出を行なう検出部と、を有する。
【発明の効果】
【００１４】
一実施形態によれば、電源装置と情報処理装置の電源ユニットとの間の接続違いを検出することができる。
【図面の簡単な説明】
【００１５】
【図１】一実施形態に係る複数の電源装置と接続される情報処理装置の構成例を示すブロック図である。
【図２】図１に示す情報処理装置における電源ユニットと電源装置との接続状態に応じた識別情報の送受信の一例を説明する図である。
【図３】図１に示す情報処理装置における電源ユニットと電源装置との接続状態に応じた識別情報の送受信の一例を説明する図である。
【図４】一実施形態に係る複数の電源装置と接続される情報処理装置の他の構成例を示すブロック図である。
【図５】図４に示す情報処理装置の機能構成例を示すブロック図である。
【図６】格納部が格納する電源区分情報の一例を説明する図である。
【図７】格納部が格納する期待値テーブルの一例を説明する図である。
【図８】図７に示す期待値テーブルの識別情報を説明する図である。
【図９】格納部が格納する受信テーブルの一例を説明する図である。
【図１０】格納部が格納する受信テーブルの一例を説明する図である。
【図１１】図４に示す情報処理装置における電源ユニットと電源装置との接続状態に応じた識別情報の送受信の一例を説明する図である。
【図１２】図４に示す情報処理装置における電源ユニットと電源装置との接続状態に応じた識別情報の送受信の一例を説明する図である。
【図１３】格納部が格納する比較テーブルの一例を説明する図である。
【図１４】格納部が格納する電源接続情報の一例を説明する図である。
【図１５】格納部が格納する電源接続情報の一例を説明する図である。
【図１６】図４に示す情報処理装置における電源冗長性監視部の動作例を説明するフローチャートである。
【図１７】図４に示す情報処理装置における電源冗長性監視部の動作例を説明するフローチャートである。
【図１８】図４に示す情報処理装置において電源装置と電源ユニットとの間の接続違いがない場合における、情報処理装置の動作例を説明するシーケンス図である。
【図１９】図４に示す情報処理装置において電源装置と電源ユニットとの間の接続違いがある場合における、情報処理装置の動作例を説明するシーケンス図である。
【図２０】複数の電源装置と接続される情報処理装置の構成例を示すブロック図である。
【図２１】一つの電源装置と接続される情報処理装置の構成例を示すブロック図である。
【発明を実施するための形態】
【００１６】
以下、図面を参照して実施の形態を説明する。
〔１〕一実施形態
〔１−１〕情報処理装置の説明
図１は、一実施形態に係る電源装置２−１及び電源装置２−２と接続される情報処理装置１ａ（１）の構成例を示すブロック図である。図１に示すように、複数、例えば二つの電源装置２−１及び電源装置２−２は、それぞれブレーカー，ＰＤＵ，ＵＰＳ等の電源の供給元であり、情報処理装置１ａに交流電源（電力）を供給する。なお、以下の説明において電源装置２−１及び電源装置２−２を区別しない場合には単に符号２で示す。
【００１７】
電源装置（第１電源装置）２−１は、少なくとも一つの端子２１を有し、電源装置（第２電源装置）２−２は、少なくとも一つの端子２２を有する。なお、端子２１及び端子２２は、例えばコンセント等の電力線２ａ及び電力線２ｂをそれぞれ取付け可能な接続部である。
図１に示す情報処理装置１ａは、電源装置２−１又は電源装置２−２から電源が供給される装置である。図１に示す例では、例えば故障等により電源装置２のうちの一方からの電源供給が断たれたとしても、情報処理装置１ａは、他方の電源装置２から電源の供給を受けることができるため、運用を止めずに動作継続することができる。
【００１８】
情報処理装置１ａは、複数、例えば二つの電源ユニット３００−１及び電源ユニット３００−２，ＣＰＵユニット５，ＨＤＤユニット６，及びＦＡＮユニット７を有している。なお、以下の説明において電源ユニット３−１及び電源ユニット３−２を区別しない場合には単に符号３で示す。また、ＣＰＵユニット５，ＨＤＤユニット６，及びＦＡＮユニット７は、電源ユニット３−１又は電源ユニット３−２により電源（電力）が供給される電源供給対象４である。
【００１９】
電源ユニット（第１電源ユニット）３−１は、電力線２ａを介して電源装置２−１の端子２１の一つと接続されるとともに、電源線３ａを介して電源供給対象４と接続され、電源供給対象４に電源装置２−１からの電源を供給する。電源ユニット（第２電源ユニット）３−２は、電力線２ｂを介して電源装置２−２の端子２２の一つと接続されるとともに、電源線３ｂを介して電源供給対象４と接続され、電源供給対象４に電源装置２−２からの電源を供給する。
【００２０】
また、電源ユニット３−１は電力線通信部（通信部）３１を有し、電源ユニット３−２は電力線通信部（通信部）３２を有している。電力線通信部３１及び電力線通信部３２は、それぞれＰＬＣ（Power Line Communication；電力線通信）機能を有する。なお、ＰＬＣとは、電力線の交流電源に高周波の信号（情報）を重畳して伝送する技術であり、通信方式は半二重方式となる。図１に示す例では、電源ユニット３からＰＬＣにより送信された信号は、電力線２ａ又は電力線２ｂを介して電源装置２に向けて伝送され、電源装置２において、電力線２ａ又は電力線２ｂが接続された端子２１又は端子２２で受信される。また、電源装置２の他の端子２１又は端子２２に電力線が接続されている場合には、受信した信号は他の端子２１又は端子２２を経由して、電源装置２から出力される。
【００２１】
電力線通信部３１は、電源装置２−１に向けて電力線２ａを介して情報（第１情報）を送信するとともに、電源装置２−１から電力線２ａを介して送信されてきた情報（第１情報）を受信する。また、電力線通信部３２は、電源装置２−２に向けて電力線２ｂを介して情報（第２情報）を送信するとともに、電源装置２−２から電力線２ｂを介して送信されてきた情報（第２情報）を受信する。
【００２２】
ＣＰＵユニット５は、ＣＰＵ５１及びメモリ５２を有している。ＣＰＵ５１は、種々の制御や演算を行なう処理装置（プロセッサ）であり、メモリ５２や図示しないＲＯＭ（Read Only Memory）等に格納されたプログラムを実行することにより、情報処理装置１ａにおける種々の機能を実現する。本実施形態においては、ＣＰＵ５１は、誤接続検出プログラムを実行することにより、後述する電源冗長性監視部１０として機能する。メモリ５２は、種々のデータやプログラムを一時的に格納する記憶装置であって、ＣＰＵ５１がプログラムを実行する際に、データやプログラムを一時的に格納・展開して用いる。なお、メモリ５２としては、ＲＡＭ（Random Access Memory）等の揮発性メモリが挙げられる。
【００２３】
ＨＤＤユニット６は、ＨＤＤ６１を有している。ＨＤＤ６１は、種々のデータやプログラム等を格納する磁気ディスク装置である。なお、ＨＤＤユニット６は、ＨＤＤ６１に代えて、又はＨＤＤ６１とともに、ＳＳＤ（Solid State Drive）等の半導体ドライブ装置等、各種記憶装置を備えても良い。ＦＡＮユニット７は、情報処理装置１ａ内の各ユニットを冷却するための冷却装置であり、例えば少なくとも一つのファン（図示省略）を有している。
【００２４】
なお、電源ユニット３，ＣＰＵユニット５，ＨＤＤユニット６，及びＦＡＮユニット７は、通信線４ａを介して相互に通信可能に接続される。それぞれのユニット間の通信は、図示しないＩＯ（Input Output）コントローラにより制御される。例えば、ＣＰＵユニット５と電源ユニット３との間では、通信線４ａとしてＩ２Ｃ（Inter-Integrated Circuit）バスが用いられ、Ｉ２Ｃコントローラ（図示省略）により通信が制御される。また、電源ユニット３は、電源装置２からの電源供給の有無，電源ユニット３の稼働状態，又は電源供給対象４の動作状態等に応じて、少なくとも一方が電源供給対象４に電源を供給する。なお、電源ユニット３の制御は、例えば通信線４ａを介してＣＰＵユニット５により行なわれる。
【００２５】
ここで、本実施形態における情報処理装置１ａは、電源ユニット３の冗長性（冗長接続性）、つまり電源装置２についての電源ユニット３の冗長性を監視して、電源装置２と電源ユニット３との間の接続違いを検出する。以下、図２及び図３を参照して、本実施形態における情報処理装置１ａによる電源ユニット３の冗長性の監視手法の一例を説明する。図２及び図３は、図１に示す情報処理装置１ａにおける電源ユニット３と電源装置２との接続状態に応じた識別情報の送受信の一例を説明する図である。
【００２６】
本実施形態における情報処理装置１ａは、ＰＬＣにより、各電源ユニット３から電源装置２に向けて、電力線２ａ，電力線２ｂを介して各電源ユニット３の識別情報を送受信する。そして、情報処理装置１ａは、各電源ユニット３が受信する識別情報の期待値と各電源ユニット３による識別情報の実際の受信結果とを比較して、電源ユニット３と電源装置２との接続状態を確認する。
【００２７】
例えば、図１に示す情報処理装置１ａでは、電源ユニット３−１は電源装置２−１と接続され、電源ユニット３−２は電源装置２−２と接続されており、各電源ユニット３は、互いに独立した供給元から電源が供給される。この場合、電力線通信部３１から送信される電源ユニット３−１の識別情報は、電源装置２−１において電力線２ａが接続された端子２１で受信されるが、他の端子２１には電力線が接続されていないため、電源装置２−１からは送信されない。同様に、電力線通信部３２から送信される電源ユニット３−２の識別情報は、電源装置２−２において電力線２ｂが接続された端子２２で受信されるが、他の端子２２には電力線が接続されていないため、電源装置２−２からは送信されない。つまり、図１に示す情報処理装置１ａにおいては、各電源ユニット３が受信する識別情報の期待値は、電源ユニット３−１及び電源ユニット３−２ともに、“受信なし”である。
【００２８】
図２に示すように、図１に示す情報処理装置１ａにおいて電源装置２と電源ユニット３との間の接続違いがない場合、電源ユニット３−１から送信される識別情報は、図２中の矢印（ｉ）で示すように電力線２ａを介して電源装置２−１により受信される。また、電源ユニット３−２から送信される識別情報は、図２中の矢印（ii）で示すように電力線２ｂを介して電源装置２−２により受信される。そして、各電源ユニット３では、電源装置２の端子２１又は端子２２を経由した識別情報の受信は行なわれない。つまり、受信結果は、電源ユニット３−１及び電源ユニット３−２ともに、“受信なし”である。
【００２９】
一方、図３に示すように、図１に示す情報処理装置１ａにおいて電源装置２と電源ユニット３との間の接続違いがある場合、例えば電源ユニット３−２が、電源装置２−２ではなく電源装置２−１の端子２１と接続された場合を考える。この場合、電源ユニット３−１から電力線２ａを介して送信される識別情報は、図３中の矢印（iii）で示すように電源装置２−１の端子２１を経由して、電力線２ｂを介して電源ユニット３−２により受信される。また、電源ユニット３−２から電力線２ｂを介して送信される識別情報は、図３中の矢印（iv）で示すように電源装置２−１の端子２１を経由して、電力線２ａを介して電源ユニット３−１により受信される。つまり、電源ユニット３−１は電源ユニット３−２の識別情報を、電源ユニット３−２は電源ユニット３−１の識別情報を、それぞれ受信する。
【００３０】
そして、情報処理装置１ａは、各電源ユニット３が受信する識別情報の期待値と各電源ユニット３による識別情報の実際の受信結果とを比較して、電源ユニット３と電源装置２との接続状態を確認するのである。例えば、図２に示す情報処理装置１ａは、各電源ユニット３における期待値と実際の受信結果とは、全て“受信なし”であるため、電源装置２と電源ユニット３との間に接続違いはないと判定する。一方、図３に示す情報処理装置１ａは、各電源ユニット３における期待値は全て“受信なし”であるのに対し、実際の受信結果は、互いの電源ユニット３の識別情報を受信しているため、“受信あり”であり、電源装置２と電源ユニット３との間に接続違いがあると判定する。
【００３１】
このように、本実施形態に係る情報処理装置１ａは、各電源ユニット３から、電力線２ａ，電力線２ｂを介して電源装置２のコンセント等の端子２１，端子２２を経由し、識別情報を送受信する。そして、情報処理装置１ａは、各電源ユニット３が受信する識別情報の期待値と実際に各電源ユニット３が受信した識別情報とを比較して、電源ユニット３と電源装置２との接続状態を確認する。
【００３２】
〔１−２〕情報処理装置の構成
次に、図１に示す情報処理装置１ａ（１）に代えて、図４及び図５に示す情報処理装置１ｂ（１）を参照しながら、情報処理装置１の構成について説明する。図４は、一実施形態に係る電源装置２−１及び電源装置２−２と接続される情報処理装置１ｂの構成例を示すブロック図であり、図５は、図４に示す情報処理装置１ｂの機能構成例を示すブロック図である。また、図６，図７，図１３はそれぞれ、格納部１６が格納する電源区分情報１６ａ，期待値テーブル１６ｂ，比較テーブル１６ｄの一例を説明する図である。さらに、図９及び図１０は、格納部１６が格納する受信テーブル１６ｃの一例を説明する図であり、図１４及び図１５は、格納部１６が格納する電源接続情報１６ｅの一例を説明する図である。また、図８は、図７に示す期待値テーブル１６ｂの識別情報を説明する図であり、図１１及び図１２は、図４に示す情報処理装置１ｂにおける電源ユニット３と電源装置２との接続状態に応じた識別情報の送受信の一例を説明する図である。なお、図４において、図１に示す符号と同一の符号は、図１に示す構成と同一又は略同一のため、重複した説明は省略する。また、図４，図１１，図１２においては、図の簡略化のため、ＣＰＵ５１，メモリ５２，ＨＤＤ６１の図示を省略している。
【００３３】
図４に示す情報処理装置１ｂ（１）は、図１に示す情報処理装置１ａの構成に加えて、電源ユニット３−３及び電源ユニット３−４を有している。なお、以下の説明において電源ユニット３−１〜電源ユニット３−４を区別しない場合には単に符号３で示す。以下、説明の便宜上、電源装置２−１及び電源装置２−２をそれぞれ電源装置Ｘ及び電源装置Ｙといい、電源ユニット３−１〜電源ユニット３−４をそれぞれ電源ユニットＡ〜電源ユニットＤという場合がある。
【００３４】
電源ユニット（第１電源ユニット）３−１，電源ユニット（第１電源ユニット）３−２は、それぞれ電力線２ａ，電力線２ｂを介して電源装置２−１の端子２１と接続されるとともに、電源線３ａ，電源線３ｂを介して電源供給対象４と接続され、電源供給対象４に電源装置２−１からの電源を供給する。電源ユニット（第２電源ユニット）３−３，電源ユニット（第２電源ユニット）３−４は、それぞれ電力線２ｃ，電力線２ｄを介して電源装置２−２の端子２２と接続されるとともに、電源線３ｃ，電源線３ｄを介して電源供給対象４と接続され、電源供給対象４に電源装置２−２からの電源を供給する。
【００３５】
また、電源ユニット３−３は電力線通信部３３を有し、電源ユニット３−４は電力線通信部３４を有している。電力線通信部（通信部）３３及び電力線通信部（通信部）３４は、それぞれ電力線通信部３１及び電力線通信部３２と同様にＰＬＣ機能を有する。
電力線通信部（通信部）３１，電力線通信部（通信部）３２は、それぞれ、電源装置２−１に向けて電力線２ａ，電力線２ｂを介して情報（第１情報）を送信するとともに、電源装置２−１から電力線２ａ，電力線２ｂを介して送信されてきた情報（第１情報）を受信する。また、電力線通信部３３，電力線通信部３４は、それぞれ、電源装置２−２に向けて電力線２ｃ，電力線２ｄを介して情報（第２情報）を送信するとともに、電源装置２−２から電力線２ｃ，電力線２ｄを介して送信されてきた情報（第２情報）を受信する。
【００３６】
図５に示すように、情報処理装置１ｂは、電源ユニット３の冗長性（冗長接続性）、つまり電源装置２についての電源ユニット３の冗長性を設定・監視する電源冗長性監視部１０として機能する。また、情報処理装置１ｂは、格納部１６を有している。なお、電源冗長性監視部１０としての機能は、上述の如くＣＰＵ５１が誤接続検出プログラムを実行することにより実現される。また、格納部１６としては、メモリ５２やＨＤＤ６２等の読書可能な記憶装置が挙げられる。なお、図５に示す電源冗長性監視部１０及び格納部１６は、図１に示す情報処理装置１ａにおいても同様に備えることができる。
【００３７】
〔１−２−１〕格納部について
格納部１６は、電源区分情報１６ａ，期待値テーブル１６ｂ，受信テーブル１６ｃ，比較テーブル１６ｄ，電源接続情報１６ｅを格納する。
電源区分情報（電源情報）１６ａは、図６に示すように、情報処理装置１ｂが有している各電源ユニット３が、どの電源装置２と接続されているかを示すテーブルであり、情報処理装置１ｂの初期設定や構成変更の際等に、作業者やＣＰＵ５１等により設定・更新される。例えば、図４及び図６に示すように、電源区分情報１６ａには、電源ユニットＡ及び電源ユニットＢに対して電源装置Ｘが設定され、電源ユニットＣ及び電源ユニットＤに対して電源装置Ｙが設定される。
【００３８】
期待値テーブル１６ｂは、電源装置Ｘと電源ユニットＡ及び電源ユニットＢとの間が接続されている状態を示す第１期待値と、電源装置Ｙと電源ユニットＣ及び電源ユニットＤとの間が接続されている状態を示す第２期待値とを示す情報である。期待値テーブル１６ｂには、図７に示すように、電源ユニット３ごとに、「受信電源ユニット」，「送信状態」，「電源装置」，及び「識別情報」が含まれる。なお、期待値テーブル１６ｂは、後述する生成部１１により電源区分情報１６ａに基づき生成される。
【００３９】
「受信電源ユニット」（第１期待値，第２期待値）は、電源ユニットＡ〜電源ユニットＤから電源装置Ｘ又は電源装置Ｙに向けて識別情報が送信される場合に、電源装置Ｘ又は電源装置Ｙを介して当該識別情報を受信する電源ユニットＡ〜電源ユニットＤを示す期待値である。「受信電源ユニット」には、識別情報を送信する「電源ユニット」Ａ〜「電源ユニット」Ｄと識別情報を受信し得る「受信電源ユニット」Ａ〜「受信電源ユニット」Ｄとの交点に、“受信あり”を示す値（例えば“１”）が設定される。また、「受信電源ユニット」には、識別情報を送信する「電源ユニット」Ａ〜「電源ユニット」Ｄと識別情報を受信し得ない「受信電源ユニット」Ａ〜「受信電源ユニット」Ｄとの交点に、“受信なし”を示す値（例えば“空白”）が設定される。「送信状態」は、識別情報の送信状態を示す情報であり、後述する識別情報送信処理部１２により設定される。「電源装置」は、各電源ユニットＡ〜電源ユニットＤと接続される電源装置２を示す情報である。
【００４０】
「識別情報」は、各電源ユニットＡ〜電源ユニットＤを示す情報であり、情報処理装置１ｂの装置番号（ＩＤ）と電源区分情報１６ａに設定された電源ユニット番号（Ｕ）とが含まれる。装置番号は、装置間で重複しない例えばシリアル番号等の装置固有の番号であり、電源ユニット番号は、電源ユニット３を特定する番号であって例えば電源ユニット３の“Ａ”〜“Ｄ”の番号である。なお、図７に示すように、「識別情報」には、識別子“ＩＤ＝”の後に付加された装置番号，カンマ（“，”）等の区切り，識別子“Ｕ＝”の後に付加された電源ユニット番号によって表される。
【００４１】
なお、期待値テーブル１６ｂにおいて、電源装置Ｘと接続される電源ユニットＡ，電源ユニットＢの「受信電源ユニット」及び「識別情報」の範囲を、それぞれ第１期待値，第１識別情報（第１情報）という。また、期待値テーブル１６ｂにおいて、電源装置Ｙと接続される電源ユニットＣ，電源ユニットＤの「受信電源ユニット」及び「識別情報」の範囲を、それぞれ第２期待値，第２識別情報（第２情報）という。
【００４２】
受信テーブル（接続情報）１６ｃは、電源ユニットＡ及び電源ユニットＢと電源装置Ｘとの接続状態を示す第１接続情報と、電源ユニットＣ及び電源ユニットＤと電源装置Ｙとの接続状態を示す第２接続情報とを示す情報である。具体的には、受信テーブル１６ｃは、図９及び図１０に示すように、電源ユニット３ごとに、電源ユニット３から送信された「識別情報」を、電源装置２を介して実際に受信した電源ユニット３を示す情報であり、後述する識別情報受信処理部１３により設定される。
【００４３】
受信テーブル１６ｃの「受信した電源ユニット」の領域は、デフォルトでは“受信なし”を示す値（例えば“空白”）が設定されている。そして、受信テーブル１６ｃには、受信した識別情報から特定される「電源ユニット」Ａ〜「電源ユニット」Ｄと識別情報を受信した「受信した電源ユニット」Ａ〜「受信した電源ユニット」Ｄとの交点に、“受信あり”を示す値（例えば“１”）が設定される。つまり、「電源ユニット」と「受信電源ユニット」との交点に“１”が設定された場合、当該「電源ユニット」と「受信電源ユニット」との間で、ＰＬＣによる情報（識別情報）の通信が行なわれたことになる。なお、図９は、情報処理装置１ｂにおける電源ユニット３と電源装置２とが図１１（図４参照）に示す接続状態である場合の受信テーブル１６ｃを示し、図１０は、電源ユニット３と電源装置２とが図１２に示す接続状態である場合の受信テーブル１６ｃを示す。
【００４４】
なお、受信テーブル１６ｃにおいて、期待値テーブル１６ｂ上で電源装置Ｘに接続されると示された電源ユニットＡ，電源ユニットＢの「受信した電源ユニット」の範囲を第１接続情報といい、電源装置Ｙに接続されると示された電源ユニットＣ，電源ユニットＤの「受信した電源ユニット」の範囲を第２接続情報という。
比較テーブル１６ｄは、図１３に示すように、後述する比較部１４ａによる期待値テーブル１６ｂと受信テーブル１６ｃとの比較処理に用いられるテーブルであり、電源ユニット３の接続状態を判定するための情報である。比較テーブル１６ｄには、期待値テーブル１６ｂの「受信電源ユニット」に設定される期待値と、受信テーブル１６ｃの「受信した電源ユニット」に設定される受信結果（接続情報）との値に応じた比較結果が設定される。例えば期待値が“空白”で受信結果も“空白”の場合、比較結果は“空白”であり、期待値が“空白”で受信結果が“１”の場合、比較結果は“△”である。また、期待値が“１”で受信結果が“空白”の場合、比較結果は“×”であり、期待値が“１”で受信結果も“１”の場合、比較結果は“○”である。なお、比較テーブル１６ｄにおける“空白”，“×”，“△”，“○”の値は、それぞれ２ビットデータで“００”，“０１”，“１０”，“１１”等のように設定される。
【００４５】
電源接続情報１６ｅは、図１４及び図１５に示すように、電源冗長性監視部１０による電源ユニット３の冗長性の判定結果が設定されるテーブルであり、後述する検出部１４ｂにより設定される。電源接続情報１６ｅには、電源ユニット３ごとに、電源ユニット３が電源区分情報１６ａに示す電源装置２と接続されているか否かを示す「判定」，電源区分情報１６ａに示す「電源装置」，及び比較テーブル１６ｄに基づき設定される「受信電源ユニット」が含まれる。なお、図１４は、情報処理装置１ｂにおける電源ユニット３と電源装置２とが図１１（図４参照）に示す接続状態である場合の電源接続情報１６ｅを示し、図１５は、電源ユニット３と電源装置２とが図１２に示す接続状態である場合の電源接続情報１６ｅを示す。
【００４６】
〔１−２−２〕電源冗長性監視部について
図５の説明に戻り、電源冗長性監視部１０は、生成部１１，識別情報送信処理部１２，識別情報受信処理部１３，状態判別部１４，及び出力部１５を有している。
生成部１１は、電源ユニット３−１〜電源ユニット３−４と電源装置２−１及び電源装置２−２との接続関係を示す電源区分情報１６ａ（図６参照）に基づいて、第１期待値と第２期待値とを生成して格納部１６に格納する。具体的には、生成部１１は、格納部１６から電源区分情報１６ａを取得して、取得した「電源ユニット」の情報と「電源装置」の情報とから期待値テーブル１６ｂを生成する。また、生成部１１は、電源ユニットＡ〜電源ユニットＤと接続される電源装置Ｘ又は電源装置Ｙを認識し、同じ電源装置Ｘ又は電源装置Ｙと接続される電源ユニットＡ〜電源ユニットＤを判断する。
【００４７】
そして、生成部１１は、例えば、同じ電源装置Ｘに接続される「電源ユニット」Ａと「受信電源ユニット」Ｂとの交点、及び、「電源ユニット」Ｂと「受信電源ユニット」Ａとの交点にそれぞれ“１”を設定することで、第１期待値を生成する。また、生成部１１は、同じ電源装置Ｙに接続される「電源ユニット」Ｃと「受信電源ユニット」Ｄとの交点、及び、「電源ユニット」Ｄと「受信電源ユニット」Ｃとの交点にそれぞれ“１”を設定することで、第２期待値を生成する。さらに、生成部１１は、情報処理装置１ｂの装置番号と電源ユニット３の電源ユニット番号とを取得し、電源装置Ｘについての第１識別情報（第１情報）と電源装置Ｙについての第２識別情報（第２情報）とを生成して、期待値テーブル１６ｂの「識別情報」に設定する。
【００４８】
識別情報送信処理部（送信処理部）１２は、期待値テーブル１６ｂに基づき、電源ユニットＡ〜電源ユニットＤに対して、接続された電源装置Ｘ又は電源装置Ｙに向けて、それぞれの識別情報を送信させる。具体的には、識別情報送信処理部１２は、期待値テーブル１６ｂ（図７参照）に基づき、電源ユニットＡ〜電源ユニットＤの電力線通信部３１〜電力線通信部３４それぞれに対して、電源ユニット３の識別情報である“ＩＤ＝１２３４，Ｕ＝Ａ”〜“ＩＤ＝１２３４，Ｕ＝Ｄ”を送信させる識別情報送信指示を発行する。この指示を受けた電力線通信部３１，電力線通信部３２は、電力線２ａ，電力線２ｂを介して接続された電源装置Ｘに対して、ＰＬＣにより電力線２ａ，電力線２ｂを介して識別情報（第１識別情報，第１情報）を送信する。また、この指示を受けた電力線通信部３３，電力線通信部３４は、電力線２ｃ，電力線２ｄを介して接続された電源装置Ｙに対して、ＰＬＣにより電力線２ｃ，電力線２ｄを介して識別情報（第２識別情報，第２情報）を送信する。
【００４９】
なお、識別情報送信処理部１２により各電力線通信部３１〜電力線通信部３４から送信された識別情報は、電源装置２の端子２１，端子２２を経由して、同じ電源装置２に接続されている全ての電力線通信部３１〜電力線通信部３４において受信される。また、ＰＬＣは半二重方式であるため、電源ユニット３は、識別情報の送信中は他の電源ユニット３からの識別情報の受信を行なうことができない。従って、識別情報送信処理部１２は、例えば期待値テーブル１６ｂに設定された電源ユニットＡ〜電源ユニットＤの順に、それぞれ一定時間あけて、各電源ユニットＡ〜電源ユニットＤに対する識別情報送信指示の発行を行なう。
【００５０】
また、識別情報送信処理部１２は、電源ユニットＡ〜電源ユニットＤの電力線通信部３１〜電力線通信部３４の送信可能状態を、例えばＩ２Ｃバスを介して確認する。そして、識別情報送信処理部１２は、送信可能状態であれば、送信を行なう電源ユニットＡ〜電源ユニットＤの識別情報を期待値テーブル１６ｂから取り出して対応する電力線通信部３１〜電力線通信部３４へ送信する。一方、識別情報送信処理部１２は、送信できない状態であれば、期待値テーブル１６ｂの当該電源ユニット３の「送信状態」に“不可”を設定するとともに、その電源ユニット３の列及び行の期待値を全てオフ（例えば“空白”）に設定する。なお、送信可能状態としては、例えば電力線通信部３１〜電力線通信部３４（電源ユニット３）が電力線２ａ〜電力線２ｄを介して電源装置２と接続されており、ＰＬＣによる通信が可能な状態が挙げられる。また、送信できない状態としては、例えば電力線通信部３１〜電力線通信部３４（電源ユニット３）が、電源の供給を受けていない状態や、故障等の障害により動作ができない場合等が挙げられる。
【００５１】
識別情報受信処理部（取得部）１３は、電源ユニットＡ〜電源ユニットＤにより、電源装置Ｘ又は電源装置Ｙを介して受信された第１識別情報又は第２識別情報に基づいて、第１接続情報及び第２接続情報を取得する。具体的には、識別情報受信処理部１３は、電源装置２の端子２１，端子２２を経由して電力線通信部３１〜電力線通信部３４により受信された識別情報を、各電力線通信部３１〜電力線通信部３４から伝達され受信する。また、識別情報受信処理部１３は、図９又は図１０に示す受信テーブル１６ｃを生成する。そして、識別情報受信処理部１３は、受信した識別情報に含まれる装置番号と自身の情報処理装置１ｂの装置番号とを比較し、一致する場合に、受信テーブル１６ｃに対して、受信した識別情報に含まれる電源ユニット番号の「電源ユニット」と当該識別情報を「受信した電源ユニット」との交点に“１”を設定する。
【００５２】
例えば、図８に示す構成のように、装置番号（ＩＤ）が“１２３４”である情報処理装置１ｂと、装置番号（ＩＤ）が“１２３５”である他の情報処理装置１′とが、電源装置２と接続されて電源の供給を受ける場合、情報処理装置１ｂにおける期待値テーブル１６ｂの「識別情報」には、装置番号として“１２３４”が設定される。このとき、識別情報受信処理部１３は、受信した識別情報の装置番号が他の情報処理装置１′を示す“１２３５”である場合には、受信テーブル１６ｃの生成に不要であるため、その識別情報を読み捨てる。なお、図８に示す電源ユニット３−５は電力線２ｅを介して電源装置２−１の端子２１と接続され、電源ユニット３−６は電力線２ｆを介して電源装置２−２の端子２２と接続される。また、電源ユニット３−５及び電源ユニット３−６は、それぞれ電源線４ａ′を介して電源供給対象４′に電源を供給する。
【００５３】
ここで、識別情報受信処理部１３による情報処理装置１ｂにおける、電源ユニット３と電源装置２との接続状態に応じた図９及び図１０に示す受信テーブル１６ｃの生成の手順を、図１１及び図１２を参照して説明する。なお、以下の説明において、受信テーブル１６ｃの「電源ユニット」と「受信した電源ユニット」との交点を、［（電源ユニットの番号Ａ〜Ｄ），（受信した電源ユニットの番号Ａ〜Ｄ）］と示す。
【００５４】
識別情報受信処理部１３は、図９及び図１０に示すように、電力線通信部３１及び電力線通信部３２が受信した識別情報に基づいて、電源装置Ｘについての第１接続情報（［Ａ，Ａ］〜［Ｂ，Ｄ］）と、電源装置Ｙについての第２接続情報（［Ｃ，Ａ］〜［Ｄ，Ｄ］）とを生成する。
まず、図１１に示すように、図４に示す情報処理装置１ｂにおいて電源装置２と電源ユニット３との間の接続違いがない場合を考える。この場合、電源ユニットＡから電力線２ａを介して送信される識別情報は、図１１中の矢印（Ｉ）で示すように電源装置Ｘの端子２１を経由して、電力線２ｂを介して電源ユニットＢにより受信される（図９の［Ａ，Ｂ］に“１”が設定される）。また、電源ユニットＢから電力線２ｂを介して送信される識別情報は、図１１中の矢印（II）で示すように電源装置Ｘの端子２１を経由して、電力線２ａを介して電源ユニットＡにより受信される（図９の［Ｂ，Ａ］に“１”が設定される）。同様に、電源ユニットＣから電力線２ｃを介して送信される識別情報は、図１１中の矢印（III）で示すように電源装置Ｙの端子２２を経由して、電力線２ｄを介して電源ユニットＤにより受信される（図９の［Ｃ，Ｄ］に“１”が設定される）。また、電源ユニットＤから電力線２ｄを介して送信される識別情報は、図１１中の矢印（IV）で示すように電源装置Ｙの端子２２を経由して、電力線２ｃを介して電源ユニットＣにより受信される（図９の［Ｄ，Ｃ］に“１”が設定される）。
【００５５】
以上のように、図１１に示す接続状態の場合、識別情報受信処理部１３は、上述した設定処理により、図９に示す受信テーブル１６ｃを生成する。
一方、図１２に示すように、図４に示す情報処理装置１ｂにおいて電源装置２と電源ユニット３との間の接続違いがある場合、例えば電源ユニットＣが、電源装置２−２ではなく電源装置２−１の端子２１と接続された場合を考える。この場合、電源ユニットＡと電源ユニットＢとの間では、図１１に示す矢印（Ｉ）及び矢印（II）と同様に識別情報が送受信される（図１０の［Ａ，Ｂ］及び［Ｂ，Ａ］に“１”が設定される）。これに加えて、電源ユニットＡから電力線２ａを介して送信される識別情報は、図１２中の矢印（Ｖ）で示すように電源装置Ｘの端子２１を経由して、電力線２ｃを介して電源ユニットＣにより受信される（図１０の［Ａ，Ｃ］に“１”が設定される）。また、電源ユニットＢから電力線２ｂを介して送信される識別情報は、図１２中の矢印（VII）で示すように電源装置Ｘの端子２１を経由して、電力線２ｃを介して電源ユニットＣにより受信される（図１０の［Ｂ，Ｃ］に“１”が設定される）。
【００５６】
また、図１２に示すように、電源ユニットＣから電力線２ｃを介して送信される識別情報は、図１２中の矢印（VI）で示すように電源装置Ｘの端子２１を経由して、電力線２ａを介して電源ユニットＡにより受信される（図１０の［Ｃ，Ａ］に“１”が設定される）。同様に、電源ユニットＣから電力線２ｃを介して送信される識別情報は、図１２中の矢印（VIII）で示すように電源装置Ｘの端子２１を経由して、電力線２ｂを介して電源ユニットＢにより受信される（図１０の［Ｃ，Ｂ］に“１”が設定される）。
【００５７】
さらに、電源ユニットＤから電力線２ｄを介して送信される識別情報は、図１２中の矢印（IX）で示すように電力線２ｄを介して電源装置Ｙにより受信されるが、他の電源ユニット３では、この識別情報の受信は行なわれない（図１０の［Ｄ，Ａ］〜［Ｄ，Ｃ］は“空白”のまま）。
以上のように、図１２に示す接続状態の場合、識別情報受信処理部１３は、上述した設定処理により、図１０に示す受信テーブル１６ｃを生成する。
【００５８】
状態判別部１４は、期待値テーブル１６ｂと受信テーブル１６ｃとに基づき、電源ユニット３と電源装置２との接続状態を判断するとともに、電源接続情報を生成する。状態判別部１４は、比較部１４ａ及び検出部１４ｂを有している。
比較部１４ａは、第１期待値と第１接続情報との比較、及び、第２期待値と第２接続情報との比較を行なう。具体的には、比較部１４ａは、図１４又は図１５に示す電源接続情報１６ｅを生成するとともに、期待値テーブル１６ｂと受信テーブル１６ｃとを比較テーブル１６ｄに基づいて比較し、比較結果を電源接続情報１６ｅに設定する。
【００５９】
より具体的に、比較部１４ａは、図７に示す期待値テーブル１６ｂの「電源ユニット」と「受信した電源ユニット」との交点の値（期待値）と、図９又は図１０に示す受信テーブル１６ｃの「電源ユニット」と「受信した電源ユニット」との交点の値（接続情報）と、を順に比較する。このとき、比較部１４ａは、期待値と接続情報との関係に対応する比較結果を、比較テーブル１６ｄから取得する。そして、比較部１４ａは、取得した比較結果を電源接続情報１６ｅにおける「電源ユニット」と「受信電源ユニット」との交点に設定する。なお、比較部１４ａは、期待値テーブル１６ｂにおいて「判定」に“不可”が設定されている電源ユニット３についての比較はスキップする。
【００６０】
例えば、図１１に示すように、図４に示す情報処理装置１ｂにおいて電源装置２と電源ユニット３との間の接続違いがない場合、つまり図９に示す受信テーブル１６ｃが生成された場合について説明する。この場合、比較部１４ａは、図７に示す期待値テーブル１６ｂと図９に示す受信テーブル１６ｃとを、例えばいずれかのテーブルに沿って［Ａ，Ａ］，…，［Ａ，Ｄ］，［Ｂ，Ａ］，…［Ｄ，Ｄ］の順で比較する。［Ａ，Ａ］や［Ａ，Ｃ］のように、「期待値」及び「接続情報」ともに“空白”である場合、比較部１４ａは、比較テーブル１６ｄから「期待値」と「受信結果（接続情報）」とが“空白”である場合の比較結果“空白”を取得して、図１４に示す電源接続情報１６ｅの該当領域に設定する。また、［Ａ，Ｂ］，［Ｂ，Ａ］，［Ｃ，Ｄ］，及び［Ｄ，Ｃ］のように、「期待値」及び「接続情報」がともに“１”である場合、比較部１４ａは、比較テーブル１６ｄから比較結果“○”を取得して、図１４に示す電源接続情報１６ｅの該当領域に設定する。
【００６１】
次に、図１２に示すように、図４に示す情報処理装置１ｂにおいて電源装置２と電源ユニット３との間の接続違いがある場合、つまり図１０に示す受信テーブル１６ｃが生成された場合について説明する。この場合においても、比較部１４ａは、「期待値」と「接続情報」とが一致する個所には図１４に示すものと同様に比較結果“空白”や“○”を設定する。これに加えて、比較部１４ａは、「期待値」と「接続情報」とが異なる個所には、電源ユニットの接続状態として“不一致”つまり誤接続状態を示す“×”又は“△”を設定する。例えば［Ａ，Ｃ］，［Ｂ，Ｃ］，［Ｃ，Ａ］，及び［Ｃ，Ｂ］のように、「期待値」が“０”で「接続情報」が“１”である場合、比較部１４ａは、比較テーブル１６ｄから比較結果“△”を取得して、図１５に示す電源接続情報１６ｅの該当領域に設定する。また、［Ｃ，Ｄ］や［Ｄ，Ｃ］のように、「期待値」が“１”で「接続情報」が“０”である場合、比較部１４ａは、比較テーブル１６ｄから比較結果“×”を取得して、電源接続情報１６ｅの該当領域に設定する。
【００６２】
以上のように、比較部１４ａは、期待値テーブル１６ｂと受信テーブル１６ｃとの比較を行なうことにより、比較結果として電源ユニット３と電源装置２との接続状態として電源接続情報１６ｅを生成する。
検出部１４ｂは、比較部１４ａによる比較結果に基づいて、電源装置Ｘと電源ユニットＡ及び電源ユニットＢとの間の接続違いの検出、又は、電源装置Ｙと電源ユニットＣ及び電源ユニットＤとの間の接続違いの検出を行なう。具体的には、検出部１４ｂは、電源接続情報１６ｅを参照して、誤接続状態を示す“△”又は“×”が最も多い電源ユニット３を決定する。そして、検出部１４ｂは、電源接続情報１６ｅに対して、検出した電源ユニット３の「判定」に“ＮＧ”（例えば１ビットデータ“１”）を設定し、それ以外の電源ユニット３の「判定」に“ＯＫ”（例えば１ビットデータ“０”）を設定する。なお、検出部１４ｂは、誤接続状態を示す“△”又は“×”が最も多い電源ユニット３が複数ある場合には、これら複数の電源ユニット３の「判定」に“ＮＧ”を設定する。
【００６３】
出力部１５は、状態判別部１４により生成された電源接続情報１６ｅを、電源冗長性監視部１０による電源ユニット３の冗長接続性の監視（判定）結果としてＨＤＤ６１等の記録媒体に保存する。また、出力部１５は、電源接続情報１６ｅにおいて“ＮＧ”が設定された場合に、作業者等に対して電源装置２と電源ユニット３との接続状態の確認を促すためへの通知を行なう。なお、出力部１５は、“ＮＧ”の設定の有無にかかわらず、監視（判定）が完了した場合に作業者等に通知しても良い。
【００６４】
これらの通知は、情報処理装置１ｂが備える図示しないモニタやプリンタ等の出力装置に出力・表示されても良く、情報処理装置１ｂが備える図示しないＬＡＮ（Local Area Network）アダプタを介して他の情報処理装置等に通知されても良い。また、これらの通知は、電源接続情報１６ｅの内容、又は電源接続情報１６ｅを特定するための情報が含まれても良く、電源接続情報１６ｅにおいて“ＮＧ”が設定されたことを示す情報又は監視（判定）が完了したことを示す情報のみが含まれても良い。
【００６５】
電源冗長性監視部１０は、電源ユニット３の電源装置２との接続状態を監視するために、生成部１１，識別情報送信処理部１２，識別情報受信処理部１３，状態判別部１４，及び出力部１５による上述した処理を、例えば一定時間ごと（定期的）に実行しても良い。
以上のように、本実施形態における情報処理装置１（情報処理装置１ａ，情報処理装置１ｂ）では、電源冗長性監視部１０により、電源ユニット３（電力線通信部３１〜電力線通信部３４）間の電源装置２を介した接続マトリクスが期待値テーブル１６ｂとして作成される。そして、電源冗長性監視部１０により、各電源ユニット３間で検査データ（識別情報）を送受信させ、その受信データを基に電源ユニット３間の電源装置２を介した接続マトリクスの受信テーブル１６ｃが作成される。これにより、情報処理装置１の電源ユニット３（電力線２ａ〜電力線２ｄ）が、冗長構成で複数の電源装置２に接続しているか否かを検出することができる。
【００６６】
従って、電源冗長性監視部１０は、期待値テーブル１６ｂと受信テーブル１６ｃとを比較することで、誤接続（接続ミス）により、期待値とは異なる伝送経路が形成された電源ユニット３を特定することができる。すなわち、電源冗長性監視部１０によれば、電源装置２と情報処理装置１（情報処理装置１ａ，情報処理装置１ｂ）の電源ユニット３との間の接続違いを確実に検出することができる。
【００６７】
〔１−３〕情報処理装置の動作例
次に、上述の如く構成された情報処理装置１ｂにおける、電源冗長性監視部１０の動作例を、図１６〜図１９を参照して説明する。図１６及び図１７は、図４に示す情報処理装置１ｂにおける電源冗長性監視部１０の動作例を説明するフローチャートであり、図１８及び図１９は、図４に示す情報処理装置１ｂにおいて電源装置２と電源ユニット３との間の接続違いがない場合とある場合とにおける、情報処理装置１ｂの動作例を説明するシーケンス図である。
【００６８】
まず、図１６及び図１７を参照して電源冗長性監視部１０の動作例を説明する。
はじめに、電源冗長性監視部１０による監視が開始されると、生成部１１により、格納部１６から電源区分情報１６ａが取得される（ステップＳ１）。そして、生成部１１により、電源区分情報１６ａに基づいて各電源ユニット３の期待値を含む期待値テーブル１６ｂが生成されるとともに、識別情報が生成され、期待値テーブル１６ｂに設定される（ステップＳ２）。
【００６９】
次いで、識別情報送信処理部１２により、期待値テーブル１６ｂに沿って、例えば最初に設定された電源ユニット３が選択され、Ｉ２Ｃバス等を介して送信可能状態か否かが判断される（ステップＳ３）。送信可能状態である場合（ステップＳ３のＹｅｓルート）、識別情報送信処理部１２により、選択された電源ユニット３の電力線通信部３１〜電力線通信部３４に対する識別情報の送信が指示される（ステップＳ４）。なお、ステップＳ４において、識別情報送信処理部１２により、一定時間の待ち時間のカウントが開始される。
【００７０】
そして、識別情報受信処理部１３により、電源ユニット３の各電力線通信部３１〜電力線通信部３４で識別情報が受信されたか否かが判断される（ステップＳ５）。受信された場合（ステップＳ５のＹｅｓルート）、識別情報受信処理部１３により、識別情報に含まれる装置ＩＤが情報処理装置１ｂの装置ＩＤと一致するか否かが判断される（ステップＳ６）。一致する場合（ステップＳ６のＹｅｓルート）、識別情報受信処理部１３により、識別情報を送信した電源ユニット３と受信した電源ユニット３とが対応付けられた（交点に“１”が設定された）受信テーブル１６ｃが生成され（ステップＳ７）、ステップＳ９に移行する。一方、識別情報に含まれる装置ＩＤが情報処理装置１ｂの装置ＩＤと一致しない場合（ステップＳ６のＮｏルート）、識別情報受信処理部１３により、受信した識別情報が読み捨てられ（ステップＳ８）、ステップＳ９に移行する。
【００７１】
ステップＳ９において、識別情報送信処理部１２により、待ち時間が経過したか否かが判定され、経過していない場合（ステップＳ９のＮｏルート）、識別情報受信処理部１３による受信処理を継続すべく、ステップＳ５に移行する。一方、待ち時間が経過した場合（ステップＳ９のＹｅｓルート）、ステップＳ１０に移行する。なお、ステップＳ３において、選択された電源ユニット３が送信可能状態ではない場合（ステップＳ３のＮｏルート）、識別情報送信処理部１２により、期待値テーブル１６ｂに対して、選択した電源ユニット３の「送信状態」に“不可”が設定されるとともに、期待値に“空白”（オフ）が設定され（ステップＳ１１）、ステップＳ１０に移行する。
【００７２】
ステップＳ１０において、識別情報送信処理部１２により、全ての電源ユニット３から識別情報の送信が完了したか否かが判断され、完了していない場合には（ステップＳ１０のＮｏルート）、識別情報送信処理部１２により次の電源ユニット３が選択され、ステップＳ３に移行する。一方、全ての電源ユニット３から識別情報の送信が完了した場合（ステップＳ１０のＹｅｓルート）、図１７のステップＳ１２に移行する。
【００７３】
図１７のステップＳ１２において、状態判別部１４（比較部１４ａ）により、電源接続情報１６ｅが生成され、基本情報、つまり「電源ユニット」及び「電源装置」が設定される（図１４及び図１５参照）。なお、このとき、状態判別部１４により、期待値テーブル１６ｂの送信状態が確認され、“不可”（図１６のステップＳ１１参照）が設定された電源ユニット３があれば、この電源ユニット３の電源接続情報１６ｅの「判定」に“不可”が設定される。そして、比較部１４ａにより、期待値テーブル１６ｂと受信テーブル１６ｃとについて、比較テーブルに従って電源ユニット３の接続状態が比較され、その比較結果が電源接続情報１６ｅに設定される（ステップＳ１３）。
【００７４】
次いで、検出部１４ｂにより、電源接続情報１６ｅに基づき最も“不一致”、つまり誤接続が多い電源ユニット３が決定され、電源接続情報１６ｅに対して、決定した電源ユニット３の「判定」に“ＮＧ”が設定される（ステップＳ１４）。また、検出部１４ｂにより、電源接続情報１６ｅに対して、他の電源ユニット３の「判定」に“ＯＫ”が設定される（ステップＳ１５）。そして、出力部１５により、電源接続情報１６ｅが格納されるとともに、監視結果が例えば出力装置等の画面に表示され（ステップＳ１６）、電源冗長性監視部１０により、次の監視時間まで待機される（ステップＳ１７，ステップＳ１７のＮｏルート）。監視時間になった場合には（ステップＳ１７のＹｅｓルート）、電源冗長性監視部１０により、次の監視を行なうべく、図１６のステップＳ１に移行する。
【００７５】
以上のように、電源冗長性監視部１０は、識別情報の送信処理（ステップＳ１〜Ｓ４，Ｓ９〜Ｓ１１）及び受信処理（ステップＳ５〜Ｓ８）により、電源装置２と電源ユニット３との間で双方向の通信を行なう。また、電源冗長性監視部１０は、実際に通信した情報から誤接続を判定及び検出する判断処理を行なう（ステップＳ１２〜Ｓ１６）。さらに、定期的に電源ユニット３の電源装置２との接続状態を監視するために、上記ステップＳ１〜Ｓ１６の処理を一定時間ごとに実行すべく監視処理（ステップＳ１７）を行なう。
【００７６】
次に、図１８及び図１９を参照して、図４に示す情報処理装置１ｂにおいて電源装置２と電源ユニット３との間の接続違いがない場合（図１８；図１１参照）と、電源装置２と電源ユニット３との間の接続違いがある場合（図１９；図１２参照）における、情報処理装置１ｂの動作例を説明する。
はじめに、接続違いがない場合について説明すると、図１８に示すように、電源冗長性監視部１０において、生成部１１により電源区分情報１６ａが取得される（ステップＴ１）。そして、生成部１１により、期待値テーブル１６ｂが生成されるとともに、各電源ユニット３の識別情報が生成されて期待値テーブル１６ｂに設定される（ステップＴ２）。
【００７７】
次いで、電源冗長性監視部１０において、識別情報送信処理部１２により、期待値テーブル１６ｂに沿って例えば電源ユニットＡに対する識別情報送信指示が発行される（ステップＴ３）。電源ユニットＡでは、電力線通信部３１により、識別情報送信指示に応じて識別情報（以下、識別情報Ａという）が送信される（ステップＴ４）。この識別情報Ａは、電力線２ａ，電源装置Ｘの端子２１，そして電力線２ｂを介して、電源ユニットＢの電力線通信部３２により受信される。識別情報Ａを受信した電源ユニットＢにより、受信情報が電源冗長性監視部１０に通知されると（ステップＴ５）、電源冗長性監視部１０の識別情報受信処理部１３により、識別情報Ａを受信した電源ユニットＢの受信テーブル１６ｃが作成される（ステップＴ６）。
【００７８】
続いて、識別情報送信処理部１２により、期待値テーブル１６ｂに沿って例えば電源ユニットＢに対する識別情報送信指示が発行される（ステップＴ７）。電源ユニットＢでは、電力線通信部３２により、識別情報送信指示に応じて識別情報Ｂが送信される（ステップＴ８）。この識別情報Ｂは、電力線２ｂ，電源装置Ｘの端子２１，そして電力線２ａを介して、電源ユニットＡの電力線通信部３１により受信される。識別情報Ｂを受信した電源ユニットＡにより、受信情報が電源冗長性監視部１０に通知されると（ステップＴ９）、電源冗長性監視部１０の識別情報受信処理部１３により、識別情報Ｂを受信した電源ユニットＡの受信テーブル１６ｃが作成される（ステップＴ１０）。
【００７９】
また、識別情報送信処理部１２により、期待値テーブル１６ｂに沿って例えば電源ユニットＣに対する識別情報送信指示が発行される（ステップＴ１１）。電源ユニットＣでは、電力線通信部３３により、識別情報送信指示に応じて識別情報Ｃが送信される（ステップＴ１２）。この識別情報Ｃは、電力線２ｃ，電源装置Ｙの端子２２，そして電力線２ｄを介して、電源ユニットＤの電力線通信部３４により受信される。識別情報Ｃを受信した電源ユニットＤにより、受信情報が電源冗長性監視部１０に通知されると（ステップＴ１３）、電源冗長性監視部１０の識別情報受信処理部１３により、識別情報Ｃを受信した電源ユニットＤの受信テーブル１６ｃが作成される（ステップＴ１４）。
【００８０】
そして、識別情報送信処理部１２により、期待値テーブル１６ｂに沿って例えば電源ユニットＤに対する識別情報送信指示が発行される（ステップＴ１５）。電源ユニットＤでは、電力線通信部３４により、識別情報送信指示に応じて識別情報Ｄが送信される（ステップＴ１６）。この識別情報Ｄは、電力線２ｄ，電源装置Ｙの端子２２，そして電力線２ｃを介して、電源ユニットＣの電力線通信部３３により受信される。識別情報Ｄを受信した電源ユニットＣにより、受信情報が電源冗長性監視部１０に通知されると（ステップＴ１７）、電源冗長性監視部１０の識別情報受信処理部１３により、識別情報Ｄを受信した電源ユニットＣの受信テーブル１６ｃが作成される（ステップＴ１８）。
【００８１】
全ての電源ユニット３による識別情報の送信が完了すると、状態判別部１４（比較部１４ａ，検出部１４ｂ）により、期待値テーブル１６ｂと受信テーブル１６ｃとから電源ユニット３と電源装置２との間の接続状態が判断され、電源接続情報１６ｅが生成される（ステップＴ１９）。そして、出力部１５により、電源接続情報１６ｅが格納され、出力装置等に表示され（ステップＴ２０）、電源冗長性監視部１０の処理が完了する。
【００８２】
次に、接続違いがある場合について説明すると、図１９に示すように、電源冗長性監視部１０において、生成部１１により電源区分情報１６ａが取得される（ステップＴ２１）。そして、生成部１１により、期待値テーブル１６ｂが生成されるとともに、各電源ユニット３の識別情報が生成されて期待値テーブル１６ｂに設定される（ステップＴ２２）。
次いで、電源冗長性監視部１０において、識別情報送信処理部１２により、期待値テーブル１６ｂに沿って例えば電源ユニットＡに対する識別情報送信指示が発行される（ステップＴ２３）。電源ユニットＡでは、電力線通信部３１により、識別情報送信指示に応じて識別情報Ａが送信される。この識別情報Ａは、電力線２ａ，電源装置Ｘの端子２１，そして電力線２ｂを介して、電源ユニットＢの電力線通信部３２により受信されるとともに（ステップＴ２４）、電力線２ａ，電源装置Ｘの端子２１，そして電力線２ｃを介して、電源ユニットＣの電力線通信部３３により受信される（ステップＴ２５）。識別情報Ａを受信した電源ユニットＢ，電源ユニットＣにより、受信情報が電源冗長性監視部１０に通知されると（ステップＴ２６及びＴ２７）、電源冗長性監視部１０の識別情報受信処理部１３により、識別情報Ａを受信した電源ユニットＢ及び電源ユニットＣの受信テーブル１６ｃが作成される（ステップＴ２８）。
【００８３】
続いて、識別情報送信処理部１２により、期待値テーブル１６ｂに沿って例えば電源ユニットＢに対する識別情報送信指示が発行される（ステップＴ２９）。電源ユニットＢでは、電力線通信部３２により、識別情報送信指示に応じて識別情報Ｂが送信される。この識別情報Ｂは、電力線２ｂ，電源装置Ｘの端子２１，そして電力線２ａを介して、電源ユニットＡの電力線通信部３１により受信されるとともに（ステップＴ３０）、電力線２ｂ，電源装置Ｘの端子２１，そして電力線２ｃを介して、電源ユニットＣの電力線通信部３３により受信される（ステップＴ３１）。識別情報Ｂを受信した電源ユニットＡ，電源ユニットＣにより、受信情報が電源冗長性監視部１０に通知されると（ステップＴ３２及びＴ３３）、電源冗長性監視部１０の識別情報受信処理部１３により、識別情報Ｂを受信した電源ユニットＡ及び電源ユニットＣの受信テーブル１６ｃが作成される（ステップＴ３４）。
【００８４】
また、識別情報送信処理部１２により、期待値テーブル１６ｂに沿って例えば電源ユニットＣに対する識別情報送信指示が発行される（ステップＴ３５）。電源ユニットＣでは、電力線通信部３３により、識別情報送信指示に応じて識別情報Ｃが送信される。この識別情報Ｃは、電力線２ｃ，電源装置Ｘの端子２１，そして電力線２ａを介して、電源ユニットＡの電力線通信部３１により受信されるとともに（ステップＴ３６）、電力線２ｃ，電源装置Ｘの端子２１，そして電力線２ｂを介して、電源ユニットＢの電力線通信部３２により受信される（ステップＴ３７）。識別情報Ｃを受信した電源ユニットＡ，電源ユニットＢにより、受信情報が電源冗長性監視部１０に通知されると（ステップＴ３８及びＴ３９）、電源冗長性監視部１０の識別情報受信処理部１３により、識別情報Ｃを受信した電源ユニットＡ及び電源ユニットＢの受信テーブル１６ｃが作成される（ステップＴ４０）。
【００８５】
そして、識別情報送信処理部１２により、期待値テーブル１６ｂに沿って例えば電源ユニットＤに対する識別情報送信指示が発行される（ステップＴ４１）。電源ユニットＤでは、電力線通信部３４により、識別情報送信指示に応じて識別情報Ｄが送信される。この識別情報Ｄは、電力線２ｄを介して電源装置Ｙの端子２２に送信されるが、端子２２には他の電力線が接続されておらず、他の電源ユニット３によっては受信されない（ステップＴ４２）。電源冗長性監視部１０においては、識別情報Ｄを受信した電源ユニットからの受信情報の通知がないまま、識別情報送信処理部１２による待ち時間が経過する。
【００８６】
全ての電源ユニット３による識別情報の送信が完了すると、状態判別部１４（比較部１４ａ，検出部１４ｂ）により、期待値テーブル１６ｂと受信テーブル１６ｃとから電源ユニット３と電源装置２との間の接続状態が判断され、電源接続情報１６ｅが生成される（ステップＴ４３）。そして、出力部１５により、電源接続情報１６ｅが格納され、出力装置等に表示され（ステップＴ４４）、電源冗長性監視部１０の処理が完了する。
【００８７】
このように、図１又は図４に示す情報処理装置１（情報処理装置１ａ，情報処理装置１ｂ）によれば、比較部１４ａにより、期待値（期待値テーブル１６ｂ）と接続情報（受信テーブル１６ｃ）との比較が行なわれる。また、検出部１４ｂにより、比較結果に基づいて、電源装置Ｘと電源ユニットＡ，電源ユニットＢとの間の接続違いの検出、又は、電源装置Ｙと電源ユニットＣ，電源ユニットＤとの間の接続違いの検出が行なわれる。従って、複数の電源装置２に接続された情報処理装置１において、電源装置２と電源ユニット３との接続違いを検出（検知）することができる。これにより、例えば作業者等は、接続状態の確認及び接続の修正を行なうことができるため、電源装置２と電源ユニット３との接続違いを無くすことができ、情報処理装置１の信頼性を向上させることができる。
【００８８】
なお、図８に示すように電源装置２に稼動中の情報処理装置１と稼動中の他の情報処理装置１′とが接続されていても、他の情報処理装置１′の運用を止めずに、情報処理装置１による電源ユニット３の冗長性の確認を行なうことができる。従って、冗長構成の電源ユニット３が電源装置２と誤って接続されている場合であっても、システム全体を通常運用に維持したまま、異常を検知することができる。
【００８９】
また、期待値は、電源ユニット３から電源装置２に向けて第１情報，第２情報が送信される場合に、電源装置２を介して第１情報，第２情報を受信する電源ユニット３を示す情報であり、接続情報は、電源ユニット３から送信された第１情報，第２情報を、電源装置２を介して受信した電源ユニット３を示す情報である。このように、情報処理装置１において、各電源ユニット３の識別情報を送受信して期待値と実際の受信結果とを比較するため、電源装置２と電源ユニット３との接続状態を認識でき、接続違いを確実に検出することができる。
【００９０】
さらに、識別情報送信処理部１２，識別情報受信処理部１３，電力線通信部３１〜電力線通信部３４によれば、実際に電源装置２と電源ユニット３との間で接続されている電力線を介して識別情報が送受信（交互に通知）するため、電源装置２と電源ユニット３との接続状態をより確実に検出できる。
〔２〕その他
以上、本発明の好ましい実施形態について詳述したが、本発明は、係る特定の実施形態に限定されるものではなく、本発明の趣旨を逸脱しない範囲内において、種々の変形、変更して実施することができる。
【００９１】
例えば、上述した実施形態では、電源装置２の数が２である場合について説明しており、電源ユニット３の数が２（図１参照）又は４（図４参照）である場合について説明しているが、本発明は、これに限定されるものではない。
また、状態判別部１４（検出部１４ｂ）は、電源接続情報１６ｅに基づき、例えば不一致を示す“△”や“×”に応じて重み付けを行なった上で、重み付け後の最も誤接続（不一致）の多い電源ユニット３を決定しても良い。
【００９２】
さらに、上述した電源冗長性監視部１０（生成部１１，識別情報送信処理部１２，識別情報受信処理部１３，状態判別部１４（比較部１４ａ，検出部１４ｂ），出力部１５を含む、本実施形態の情報処理装置１（情報処理装置１ａ，情報処理装置１ｂ）の各種機能の全部もしくは一部は、コンピュータ（ＣＰＵ，情報処理装置，各種端末を含む）が所定のプログラムを実行することによって実現される。
【００９３】
そのプログラムは、例えばフレキシブルディスク，ＣＤ（ＣＤ−ＲＯＭ，ＣＤ−Ｒ，ＣＤ−ＲＷなど），ＤＶＤ（ＤＶＤ−ＲＯＭ，ＤＶＤ−ＲＡＭ，ＤＶＤ−Ｒ，ＤＶＤ−ＲＷ，ＤＶＤ＋Ｒ，ＤＶＤ＋ＲＷなど），ブルーレイディスク等のコンピュータ読取可能な記録媒体に記録された形態で提供される。この場合、コンピュータはその記録媒体からプログラムを読み取って内部記憶装置または外部記憶装置に転送し格納して用いる。
【００９４】
ここで、コンピュータとは、ハードウェアとＯＳ（オペレーティングシステム）とを含む概念であり、ＯＳの制御の下で動作するハードウェアを意味している。また、ＯＳが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取る手段とをそなえている。上記プログラムは、上述のようなコンピュータに、本実施形態の情報処理装置１の各種機能を実現させるプログラムコードを含んでいる。また、その機能の一部は、アプリケーションプログラムではなくＯＳによって実現されてもよい。
【００９５】
なお、前記目的に限らず、上述した発明を実施するための最良の形態に示す各構成により導かれる作用効果であって、従来の技術によっては得られない作用効果を奏することも本件の他の目的の一つとして位置付けることができる。
【符号の説明】
【００９６】
１，１ａ，１ｂ，１′，１００    情報処理装置
１０    電源冗長性監視部
１１    生成部
１２    識別情報送信処理部（送信処理部）
１３    識別情報受信処理部（取得部）
１４    状態判別部
１４ａ    比較部
１４ｂ    検出部
１５    出力部
１６    格納部
１６ａ    電源区分情報（電源情報）
１６ｂ    期待値テーブル
１６ｃ    受信テーブル（接続情報）
１６ｄ    比較テーブル
１６ｅ    電源接続情報
２，２−１，２−２    電源装置（第１電源装置，第２電源装置）
２ａ〜２ｆ，２００ａ，２００ｂ    電力線
２１，２２，２１０，２２０    端子
２００，２００−１，２００−２    電源装置
３，３−１〜３−４    電源ユニット（第１電源ユニット，第２電源ユニット）
３−５，３−６    電源ユニット
３ａ〜３ｆ，３００ａ，３００ｂ    電源線
３１〜３４    電力線通信部
３００，３００−１，３００−２    電源ユニット
４，４′，４００    電源供給対象
４ａ，４ａ′，４００ａ    通信線
５，５００    ＣＰＵユニット
５１    ＣＰＵ
５２    メモリ
６，６００    ＨＤＤユニット
６１    ＨＤＤ
７，７００    ＦＡＮユニット
【図１】
2013140512.tif 000003
【図２】
2013140512.tif 000004
【図３】
2013140512.tif 000005
【図４】
2013140512.tif 000006
【図５】
2013140512.tif 000007
【図６】
2013140512.tif 000008
【図７】
2013140512.tif 000009
【図８】
2013140512.tif 000010
【図９】
2013140512.tif 000011
【図１０】
2013140512.tif 000012
【図１１】
2013140512.tif 000013
【図１２】
2013140512.tif 000014
【図１３】
2013140512.tif 000015
【図１４】
2013140512.tif 000016
【図１５】
2013140512.tif 000017
【図１６】
2013140512.tif 000018
【図１７】
2013140512.tif 000019
【図１８】
2013140512.tif 000020
【図１９】
2013140512.tif 000021
【図２０】
2013140512.tif 000022
【図２１】
2013140512.tif 000023
【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
第１電源装置又は第２電源装置から電源が供給される情報処理装置であって、
前記第１電源装置に接続された第１電源ユニットと、
前記第２電源装置に接続された第２電源ユニットと、
前記第１電源装置と前記第１電源ユニットとの間が接続されている状態を示す第１期待値と、前記第２電源装置と前記第２電源ユニットとの間が接続されている状態を示す第２期待値との格納を行なう格納部と、
前記第１電源ユニットと前記第１電源装置との接続状態を示す第１接続情報と、前記第２電源ユニットと前記第２電源装置との接続状態を示す第２接続情報との取得を行なう取得部と、
前記第１期待値と前記第１接続情報との比較、及び、前記第２期待値と前記第２接続情報との比較を行なう比較部と、
前記比較部による比較結果に基づいて、前記第１電源装置と前記第１電源ユニットとの間の接続違いの検出、又は、前記第２電源装置と前記第２電源ユニットとの間の接続違いの検出を行なう検出部と、
を有することを特徴する情報処理装置。
【請求項２】
前記第１期待値は、前記第１電源ユニットから前記第１電源装置に向けて第１情報が送信される場合に、前記第１電源装置を介して前記第１情報を受信する電源ユニットを示す情報であり、前記第１接続情報は、前記第１電源ユニットから送信された前記第１情報を、前記第１電源装置を介して受信した電源ユニットを示す情報であって、
前記第２期待値は、前記第２電源ユニットから前記第２電源装置に向けて第２情報が送信される場合に、前記第２電源装置を介して前記第２情報を受信する電源ユニットを示す情報であり、前記第２接続情報は、前記第２電源ユニットから送信された前記第２情報を、前記第２電源装置を介して受信した電源ユニットを示す情報であることを特徴とする、請求項１記載の情報処理装置。
【請求項３】
前記第１情報は、前記第１電源ユニットを示す第１識別情報であり、前記第２情報は、前記第２電源ユニットを示す第２識別情報であって、
前記第１電源ユニットに対して、前記第１電源装置に向けて、前記第１識別情報を送信させるとともに、前記第２電源ユニットに対して、前記第２電源装置に向けて、前記第２識別情報を送信させる送信制御部をさらに有し、
前記取得部は、前記第１電源ユニット及び前記第２電源ユニットにより、前記第１電源装置又は前記第２電源装置を介して受信された前記第１識別情報又は前記第２識別情報に基づいて、前記第１接続情報及び前記第２接続情報を取得することを特徴とする、請求項２記載の情報処理装置。
【請求項４】
前記第１電源ユニット及び前記第２電源ユニットの各々は、
電力線を介して接続された電源装置に対して、前記電力線を介して前記第１情報又は前記第２情報を送信するとともに、前記電源装置からの前記第１情報又は前記第２情報を、前記電力線を介して受信する通信部を有することを特徴とする、請求項２又は請求項３記載の情報処理装置。
【請求項５】
第１電源装置又は第２電源装置から電源が供給され、前記第１電源装置に接続された第１電源ユニットと、前記第２電源装置に接続された第２電源ユニットと、を有する情報処理装置における電源の誤接続検出方法であって、
前記第１電源ユニットと前記第１電源装置との接続状態を示す第１接続情報と、前記第２電源ユニットと前記第２電源装置との接続状態を示す第２接続情報との取得を行ない、
格納部に格納された前記第１電源装置と前記第１電源ユニットとの間が接続されている状態を示す第１期待値と、取得した前記第１接続情報との比較、及び、前記格納部に格納された前記第２電源装置と前記第２電源ユニットとの間が接続されている状態を示す第２期待値と、取得した前記第２接続情報との比較を行ない、
比較結果に基づいて、前記第１電源装置と前記第１電源ユニットとの間の接続違いの検出、又は、前記第２電源装置と前記第２電源ユニットとの間の接続違いの検出を行なう、
ことを特徴する電源の誤接続検出方法。
【請求項６】
前記第１期待値は、前記第１電源ユニットから前記第１電源装置に向けて第１情報が送信される場合に、前記第１電源装置を介して前記第１情報を受信する電源ユニットを示す情報であり、前記第１接続情報は、前記第１電源ユニットから送信された前記第１情報を、前記第１電源装置を介して受信した電源ユニットを示す情報であって、
前記第２期待値は、前記第２電源ユニットから前記第２電源装置に向けて第２情報が送信される場合に、前記第２電源装置を介して前記第２情報を受信する電源ユニットを示す情報であり、前記第２接続情報は、前記第２電源ユニットから送信された前記第２情報を、前記第２電源装置を介して受信した電源ユニットを示す情報であることを特徴とする、請求項５記載の誤接続検出方法。
【請求項７】
前記第１情報は、前記第１電源ユニットを示す第１識別情報であり、前記第２情報は、前記第２電源ユニットを示す第２識別情報であって、
前記第１電源ユニットに対して、前記第１電源装置に向けて、前記第１識別情報を送信させるとともに、前記第２電源ユニットに対して、前記第２電源装置に向けて、前記第２識別情報を送信させ、
前記取得する処理において、前記第１電源ユニット及び前記第２電源ユニットにより、前記第１電源装置又は前記第２電源装置を介して受信された前記第１識別情報又は前記第２識別情報に基づいて、前記第１接続情報及び前記第２接続情報を取得することを特徴とする、請求項６記載の誤接続検出方法。
【請求項８】
前記第１電源ユニット及び前記第２電源ユニットにおいて、電力線を介して接続された電源装置に対して、前記電力線を介して前記第１情報又は前記第２情報を送信するとともに、前記電源装置からの前記第１情報又は前記第２情報を、前記電力線を介して受信することを特徴とする、請求項６又は請求項７記載の誤接続検出方法。
【請求項９】
第１電源装置又は第２電源装置から電源が供給され、前記第１電源装置に接続された第１電源ユニットと、前記第２電源装置に接続された第２電源ユニットと、を有するコンピュータに実行させる電源の誤接続検出プログラムであって、
前記第１電源ユニットと前記第１電源装置との接続状態を示す第１接続情報と、前記第２電源ユニットと前記第２電源装置との接続状態を示す第２接続情報との取得を行ない、
格納部に格納された前記第１電源装置と前記第１電源ユニットとの間が接続されている状態を示す第１期待値と、取得した前記第１接続情報との比較、及び、前記格納部に格納された前記第２電源装置と前記第２電源ユニットとの間が接続されている状態を示す第２期待値と、取得した前記第２接続情報との比較を行ない、
比較結果に基づいて、前記第１電源装置と前記第１電源ユニットとの間の接続違いの検出、又は、前記第２電源装置と前記第２電源ユニットとの間の接続違いの検出を行なう、
処理を前記コンピュータに実行させることを特徴する電源の誤接続検出プログラム。
【請求項１０】
前記第１期待値は、前記第１電源ユニットから前記第１電源装置に向けて第１情報が送信される場合に、前記第１電源装置を介して前記第１情報を受信する電源ユニットを示す情報であり、前記第１接続情報は、前記第１電源ユニットから送信された前記第１情報を、前記第１電源装置を介して受信した電源ユニットを示す情報であって、
前記第２期待値は、前記第２電源ユニットから前記第２電源装置に向けて第２情報が送信される場合に、前記第２電源装置を介して前記第２情報を受信する電源ユニットを示す情報であり、前記第２接続情報は、前記第２電源ユニットから送信された前記第２情報を、前記第２電源装置を介して受信した電源ユニットを示す情報であることを特徴とする、請求項９記載の誤接続検出プログラム。
【手続補正２】
【補正対象書類名】明細書
【補正対象項目名】００１８
【補正方法】変更
【補正の内容】
【００１８】
情報処理装置１ａは、複数、例えば二つの電源ユニット３−１及び電源ユニット３−２，ＣＰＵユニット５，ＨＤＤユニット６，及びＦＡＮユニット７を有している。なお、以下の説明において電源ユニット３−１及び電源ユニット３−２を区別しない場合には単に符号３で示す。また、ＣＰＵユニット５，ＨＤＤユニット６，及びＦＡＮユニット７は、電源ユニット３−１又は電源ユニット３−２により電源（電力）が供給される電源供給対象４である。
【手続補正３】
【補正対象書類名】明細書
【補正対象項目名】００３６
【補正方法】変更
【補正の内容】
【００３６】
図５に示すように、情報処理装置１ｂは、電源ユニット３の冗長性（冗長接続性）、つまり電源装置２についての電源ユニット３の冗長性を設定・監視する電源冗長性監視部１０として機能する。また、情報処理装置１ｂは、格納部１６を有している。なお、電源冗長性監視部１０としての機能は、上述の如くＣＰＵ５１が誤接続検出プログラムを実行することにより実現される。また、格納部１６としては、メモリ５２やＨＤＤ６１等の読書可能な記憶装置が挙げられる。なお、図５に示す電源冗長性監視部１０及び格納部１６は、図１に示す情報処理装置１ａにおいても同様に備えることができる。
【手続補正４】
【補正対象書類名】明細書
【補正対象項目名】００４３
【補正方法】変更
【補正の内容】
【００４３】
受信テーブル１６ｃの「受信した電源ユニット」の領域は、デフォルトでは“受信なし”を示す値（例えば“空白”）が設定されている。そして、受信テーブル１６ｃには、受信した識別情報から特定される「電源ユニット」Ａ〜「電源ユニット」Ｄと識別情報を受信した「受信した電源ユニット」Ａ〜「受信した電源ユニット」Ｄとの交点に、“受信あり”を示す値（例えば“１”）が設定される。つまり、「電源ユニット」と「受信した電源ユニット」との交点に“１”が設定された場合、当該「電源ユニット」と「受信した電源ユニット」との間で、ＰＬＣによる情報（識別情報）の通信が行なわれたことになる。なお、図９は、情報処理装置１ｂにおける電源ユニット３と電源装置２とが図１１（図４参照）に示す接続状態である場合の受信テーブル１６ｃを示し、図１０は、電源ユニット３と電源装置２とが図１２に示す接続状態である場合の受信テーブル１６ｃを示す。
【手続補正５】
【補正対象書類名】明細書
【補正対象項目名】００５９
【補正方法】変更
【補正の内容】
【００５９】
より具体的に、比較部１４ａは、図７に示す期待値テーブル１６ｂの「電源ユニット」と「受信電源ユニット」との交点の値（期待値）と、図９又は図１０に示す受信テーブル１６ｃの「電源ユニット」と「受信した電源ユニット」との交点の値（接続情報）と、を順に比較する。このとき、比較部１４ａは、期待値と接続情報との関係に対応する比較結果を、比較テーブル１６ｄから取得する。そして、比較部１４ａは、取得した比較結果を電源接続情報１６ｅにおける「電源ユニット」と「受信電源ユニット」との交点に設定する。なお、比較部１４ａは、期待値テーブル１６ｂにおいて「判定」に“不可”が設定されている電源ユニット３についての比較はスキップする。
【手続補正６】
【補正対象書類名】明細書
【補正対象項目名】００７３
【補正方法】変更
【補正の内容】
【００７３】
図１７のステップＳ１２において、状態判別部１４（比較部１４ａ）により、電源接続情報１６ｅが生成され、基本情報、つまり「電源ユニット」及び「電源装置」が設定される（図１４及び図１５参照）。なお、このとき、状態判別部１４により、期待値テーブル１６ｂの送信状態が確認され、“不可”（図１６のステップＳ１１参照）が設定された電源ユニット３があれば、この電源ユニット３の電源接続情報１６ｅの「判定」に“不可”が設定される。そして、比較部１４ａにより、期待値テーブル１６ｂと受信テーブル１６ｃとについて、比較テーブル１６ｄに従って電源ユニット３の接続状態が比較され、その比較結果が電源接続情報１６ｅに設定される（ステップＳ１３）。
【手続補正７】
【補正対象書類名】明細書
【補正対象項目名】００９５
【補正方法】変更
【補正の内容】
【００９５】
なお、前記目的に限らず、上述した発明を実施するための最良の形態に示す各構成により導かれる作用効果であって、従来の技術によっては得られない作用効果を奏することも本件の他の目的の一つとして位置付けることができる。
〔３〕付記
以上の実施形態に関し、更に以下の付記を開示する。
（付記１）
第１電源装置又は第２電源装置から電源が供給される情報処理装置であって、
前記第１電源装置に接続された第１電源ユニットと、
前記第２電源装置に接続された第２電源ユニットと、
前記第１電源装置と前記第１電源ユニットとの間が接続されている状態を示す第１期待値と、前記第２電源装置と前記第２電源ユニットとの間が接続されている状態を示す第２期待値との格納を行なう格納部と、
前記第１電源ユニットと前記第１電源装置との接続状態を示す第１接続情報と、前記第２電源ユニットと前記第２電源装置との接続状態を示す第２接続情報との取得を行なう取得部と、
前記第１期待値と前記第１接続情報との比較、及び、前記第２期待値と前記第２接続情報との比較を行なう比較部と、
前記比較部による比較結果に基づいて、前記第１電源装置と前記第１電源ユニットとの間の接続違いの検出、又は、前記第２電源装置と前記第２電源ユニットとの間の接続違いの検出を行なう検出部と、
を有することを特徴する情報処理装置。
（付記２）
前記第１期待値は、前記第１電源ユニットから前記第１電源装置に向けて第１情報が送信される場合に、前記第１電源装置を介して前記第１情報を受信する電源ユニットを示す情報であり、前記第１接続情報は、前記第１電源ユニットから送信された前記第１情報を、前記第１電源装置を介して受信した電源ユニットを示す情報であって、
前記第２期待値は、前記第２電源ユニットから前記第２電源装置に向けて第２情報が送信される場合に、前記第２電源装置を介して前記第２情報を受信する電源ユニットを示す情報であり、前記第２接続情報は、前記第２電源ユニットから送信された前記第２情報を、前記第２電源装置を介して受信した電源ユニットを示す情報であることを特徴とする、付記１記載の情報処理装置。
（付記３）
前記第１情報は、前記第１電源ユニットを示す第１識別情報であり、前記第２情報は、前記第２電源ユニットを示す第２識別情報であって、
前記第１電源ユニットに対して、前記第１電源装置に向けて、前記第１識別情報を送信させるとともに、前記第２電源ユニットに対して、前記第２電源装置に向けて、前記第２識別情報を送信させる送信制御部をさらに有し、
前記取得部は、前記第１電源ユニット及び前記第２電源ユニットにより、前記第１電源装置又は前記第２電源装置を介して受信された前記第１識別情報又は前記第２識別情報に基づいて、前記第１接続情報及び前記第２接続情報を取得することを特徴とする、付記２記載の情報処理装置。
（付記４）
前記第１電源ユニット及び前記第２電源ユニットの各々は、
電力線を介して接続された電源装置に対して、前記電力線を介して前記第１情報又は前記第２情報を送信するとともに、前記電源装置からの前記第１情報又は前記第２情報を、前記電力線を介して受信する通信部を有することを特徴とする、付記２又は付記３記載の情報処理装置。
（付記５）
前記第１電源ユニット，前記第２電源ユニット，前記第１電源装置，及び前記第２電源装置の接続関係を示す電源情報に基づいて、前記第１期待値と前記第２期待値とを生成して前記格納部に格納するとともに、前記第１情報と前記第２情報とを生成する生成部をさらに有することを特徴とする、付記２〜４のいずれか１項記載の情報処理装置。
（付記６）
第１電源装置又は第２電源装置から電源が供給され、前記第１電源装置に接続された第１電源ユニットと、前記第２電源装置に接続された第２電源ユニットと、を有する情報処理装置における電源の誤接続検出方法であって、
前記第１電源ユニットと前記第１電源装置との接続状態を示す第１接続情報と、前記第２電源ユニットと前記第２電源装置との接続状態を示す第２接続情報との取得を行ない、
格納部に格納された前記第１電源装置と前記第１電源ユニットとの間が接続されている状態を示す第１期待値と、取得した前記第１接続情報との比較、及び、前記格納部に格納された前記第２電源装置と前記第２電源ユニットとの間が接続されている状態を示す第２期待値と、取得した前記第２接続情報との比較を行ない、
比較結果に基づいて、前記第１電源装置と前記第１電源ユニットとの間の接続違いの検出、又は、前記第２電源装置と前記第２電源ユニットとの間の接続違いの検出を行なう、
ことを特徴する電源の誤接続検出方法。
（付記７）
前記第１期待値は、前記第１電源ユニットから前記第１電源装置に向けて第１情報が送信される場合に、前記第１電源装置を介して前記第１情報を受信する電源ユニットを示す情報であり、前記第１接続情報は、前記第１電源ユニットから送信された前記第１情報を、前記第１電源装置を介して受信した電源ユニットを示す情報であって、
前記第２期待値は、前記第２電源ユニットから前記第２電源装置に向けて第２情報が送信される場合に、前記第２電源装置を介して前記第２情報を受信する電源ユニットを示す情報であり、前記第２接続情報は、前記第２電源ユニットから送信された前記第２情報を、前記第２電源装置を介して受信した電源ユニットを示す情報であることを特徴とする、付記６記載の誤接続検出方法。
（付記８）
前記第１情報は、前記第１電源ユニットを示す第１識別情報であり、前記第２情報は、前記第２電源ユニットを示す第２識別情報であって、
前記第１電源ユニットに対して、前記第１電源装置に向けて、前記第１識別情報を送信させるとともに、前記第２電源ユニットに対して、前記第２電源装置に向けて、前記第２識別情報を送信させ、
前記取得する処理において、前記第１電源ユニット及び前記第２電源ユニットにより、前記第１電源装置又は前記第２電源装置を介して受信された前記第１識別情報又は前記第２識別情報に基づいて、前記第１接続情報及び前記第２接続情報を取得することを特徴とする、付記７記載の誤接続検出方法。
（付記９）
前記第１電源ユニット及び前記第２電源ユニットにおいて、電力線を介して接続された電源装置に対して、前記電力線を介して前記第１情報又は前記第２情報を送信するとともに、前記電源装置からの前記第１情報又は前記第２情報を、前記電力線を介して受信することを特徴とする、付記７又は付記８記載の誤接続検出方法。
（付記１０）
前記第１電源ユニット，前記第２電源ユニット，前記第１電源装置，及び前記第２電源装置の接続関係を示す電源情報に基づいて、前記第１期待値と前記第２期待値とを生成して前記格納部に格納するとともに、前記第１情報と前記第２情報とを生成することを特徴とする、付記７〜９のいずれか１項記載の誤接続検出方法。
（付記１１）
第１電源装置又は第２電源装置から電源が供給され、前記第１電源装置に接続された第１電源ユニットと、前記第２電源装置に接続された第２電源ユニットと、を有するコンピュータに実行させる電源の誤接続検出プログラムであって、
前記第１電源ユニットと前記第１電源装置との接続状態を示す第１接続情報と、前記第２電源ユニットと前記第２電源装置との接続状態を示す第２接続情報との取得を行ない、
格納部に格納された前記第１電源装置と前記第１電源ユニットとの間が接続されている状態を示す第１期待値と、取得した前記第１接続情報との比較、及び、前記格納部に格納された前記第２電源装置と前記第２電源ユニットとの間が接続されている状態を示す第２期待値と、取得した前記第２接続情報との比較を行ない、
比較結果に基づいて、前記第１電源装置と前記第１電源ユニットとの間の接続違いの検出、又は、前記第２電源装置と前記第２電源ユニットとの間の接続違いの検出を行なう、
処理を前記コンピュータに実行させることを特徴する電源の誤接続検出プログラム。
（付記１２）
前記第１期待値は、前記第１電源ユニットから前記第１電源装置に向けて第１情報が送信される場合に、前記第１電源装置を介して前記第１情報を受信する電源ユニットを示す情報であり、前記第１接続情報は、前記第１電源ユニットから送信された前記第１情報を、前記第１電源装置を介して受信した電源ユニットを示す情報であって、
前記第２期待値は、前記第２電源ユニットから前記第２電源装置に向けて第２情報が送信される場合に、前記第２電源装置を介して前記第２情報を受信する電源ユニットを示す情報であり、前記第２接続情報は、前記第２電源ユニットから送信された前記第２情報を、前記第２電源装置を介して受信した電源ユニットを示す情報であることを特徴とする、付記１１記載の誤接続検出プログラム。
（付記１３）
前記第１情報は、前記第１電源ユニットを示す第１識別情報であり、前記第２情報は、前記第２電源ユニットを示す第２識別情報であって、
前記第１電源ユニットに対して、前記第１電源装置に向けて、前記第１識別情報を送信させるとともに、前記第２電源ユニットに対して、前記第２電源装置に向けて、前記第２識別情報を送信させ、
前記取得する処理において、前記第１電源ユニット及び前記第２電源ユニットにより、前記第１電源装置又は前記第２電源装置を介して受信された前記第１識別情報又は前記第２識別情報に基づいて、前記第１接続情報及び前記第２接続情報を取得する、処理を前記コンピュータに実行させることを特徴とする、付記１２記載の誤接続検出プログラム。
（付記１４）
前記第１電源ユニット及び前記第２電源ユニットにおいて、電力線を介して接続された電源装置に対して、前記電力線を介して前記第１情報又は前記第２情報を送信するとともに、前記電源装置からの前記第１情報又は前記第２情報を、前記電力線を介して受信する、処理を前記コンピュータに実行させることを特徴とする、付記１２又は付記１３記載の誤接続検出プログラム。
（付記１５）
前記第１電源ユニット，前記第２電源ユニット，前記第１電源装置，及び前記第２電源装置の接続関係を示す電源情報に基づいて、前記第１期待値と前記第２期待値とを生成して前記格納部に格納するとともに、前記第１情報と前記第２情報とを生成する、処理を前記コンピュータに実行させることを特徴とする、付記１２〜１４のいずれか１項記載の誤接続検出プログラム。
【手続補正８】
【補正対象書類名】図面
【補正対象項目名】図１１
【補正方法】変更
【補正の内容】
【図１１】
2013140512.tif 000024
【国際調査報告】
2013140512.tif 000025
2013140512.tif 000026
2013140512.tif 000027